(57)【要約】【課題】環境情報として気温及び湿度を測定して、周囲の環境の適否を段階的に区分した指標ランクに応じた視覚的情報や聴覚的情報により報知するようにした装置において、健康な成人に限らず、年齢的に体力が劣る者や、病気等により体力が落ちている者、たまたま体調が優れない者など、多くの使用者が環境の適否を適切に確認できるようにする。【解決手段】指標ランク内に、区分の条件が緩和された所定範囲を設ける。また、指標ランクに応じて実行する報知動作として第一環境報知情報と、指標ランクが所定範囲内である場合に実行する報知動作として第二環境報知情報とを設ける。これにより、測定した気温と湿度に基づいて特定される指標ランクが所定範囲内で無いときは、指標ランクに応じて特定した第一環境報知情報による報知を行い、一方、指標ランクが所定範囲内で有るときは、指標ランクに応じた第一環境報知情報に第二環境報知情報を加えた報知を行う。【選択図】図４
2013222257.tif 000002
【特許請求の範囲】
【請求項１】
環境情報として気温及び湿度を測定し、測定した環境情報に基づいて周囲の環境の適否を段階的に区分した指標ランクに応じた視覚的情報又は聴覚的情報といった環境報知情報により報知するようにした装置であって、
測定した環境情報に基づいて特定した指標ランクが、同一の指標ランク内において予め設定した所定範囲内にあるとき、当該指標ランクに応じた第一環境報知情報による報知に加えて、前記第一環境報知情報とは異なる態様である第二環境報知情報による報知を行う手段を備えていることを特徴とする万人用環境情報報知装置。
【請求項２】
前記第一環境報知情報は、特定した指標ランクに応じた発光器を点灯させるものであり、
前記第二環境報知情報は、前記第一環境報知情報に基づいて点灯する発光器を点滅させるものである、
ことを特徴とする請求項１に記載の万人用環境情報報知装置。
【請求項３】
前記第一環境報知情報は、特定した指標ランクに応じた発光器を点灯させるものであり、
前記第二環境報知情報は、前記第一環境報知情報に基づいて点灯する発光器とは異なる他の発光器を点滅させるものである、
ことを特徴とする請求項１に記載の万人用環境情報報知装置。
【請求項４】
前記第一環境報知情報は、特定した指標ランクに応じた発光器を点灯させるものであり、
前記第二環境報知情報は、前記第一環境報知情報に基づいて点灯する発光器と、当該発光器とは異なる他の発光器とを共に点滅させるものである、
ことを特徴とする請求項１に記載の万人用環境情報報知装置。
【請求項５】
前記第二環境報知情報は、前記第一環境報知情報に基づいて点灯する発光器の点滅動作と、当該発光器とは異なる他の発光器との点滅動作とを同時に行わせるものである、
ことを特徴とする請求項４に記載の万人用環境情報報知装置。
【請求項６】
前記第二環境報知情報は、前記第一環境報知情報に基づいて点灯する発光器の点滅動作と、当該発光器とは異なる他の発光器との点滅動作とを交互に行わせるものである、
ことを特徴とする請求項４に記載の万人用環境情報報知装置。
【請求項７】
前記指標ランクは、熱中症になり易い危険度、季節性流行性感冒に感染し易い危険度、肌に悪影響を及ぼし易い危険度の何れかを示すものである、
ことを特徴とする請求項１乃至６の何れか１項に記載の万人用環境情報報知装置。
【請求項８】
前記指標ランクは、熱中症になり易い危険度、季節性流行性感冒に感染し易い危険度、肌に悪影響を及ぼし易い危険度の何れかを選択して示すものである、
ことを特徴とする請求項１乃至６の何れか１項に記載の万人用環境情報報知装置。
【請求項９】
前記所定範囲は、環境情報の少なくとも何れか一方の測定数値が所定数値上昇したとすると、指標ランクの危険度が上がることとなる領域に設定されている、
ことを特徴とする請求項１乃至８の何れか１項に記載の万人用環境情報報知装置。
【請求項１０】
環境情報として気温及び湿度を測定し、測定した環境情報に基づいて周囲の環境の適否を段階的に区分した指標ランクに応じた視覚的情報又は聴覚的情報といった環境報知情報により報知するようにした装置であって、
周囲の環境情報を測定する検知手段と、
前記検知手段で測定された環境情報と、当該環境状況を段階的に区分して設定した指標ランクとを関連付けて記憶する指標ランク情報記憶手段と、
前記指標ランクと、当該指標ランクに応じて実行する環境報知情報とを関連付けて記憶する環境報知情報記憶手段と、
前記検知手段で測定された環境情報に基づき前記指標ランク情報記憶手段を参照して指標ランクを特定すると共に、前記環境報知情報記憶手段を参照して当該指標ランクに応じた環境報知情報を特定する制御手段と、
前記制御手段で特定された環境報知情報に応じた報知を行う報知手段と、
を少なくとも備え、
前記検知手段は、気温を測定する温度センサと、湿度を測定する湿度センサとから構成され、
前記指標ランク情報記憶手段は、測定された環境情報から特定される指標ランクが同一となる指標ランク内を区分して所定範囲を設定するものであり、
前記環境報知情報記憶手段は、環境報知情報として、指標ランクごとに行う第一環境報知情報と、指標ランクが同一の指標ランク内において予め設定した所定範囲内のときに行う前記第一環境報知情報とは異なる態様である第二環境報知情報とを記憶するものであり、
前記制御手段は、前記環境報知情報記憶手段を参照し、特定した指標ランクに基づいて第一環境報知情報を特定し、当該指標ランクが同一の指標ランク内において予め設定された所定範囲内にあるとき、前記第一環境報知情報の特定と共に第二環境報知情報をも特定し、さらに、前記第一環境報知情報に前記第二環境報知情報を加えた環境報知情報を生成して、当該環境報知情報を前記報知手段に通知するものである、
ことを特徴とする万人用環境情報報知装置。
【請求項１１】
前記報知手段は、点灯色彩が変化する１又は２以上の発光器、もしくは点灯数又は点灯位置が変化する複数の発光器であり、
前記環境報知情報記憶手段は、第一環境報知情報として発光器の点灯動作を記憶すると共に、第二環境報知情報として発光器の点滅動作を記憶し、
前記制御手段は、特定した指標ランクに応じた発光器を点灯させる第一環境報知情報を特定すると共に、当該指標ランクが所定範囲内であるとき、前記第一環境報知情報に基づいて点灯する発光器を点滅させる第二環境報知情報を特定する、
ことを特徴とする請求項１０に記載の万人用環境情報報知装置。
【請求項１２】
前記報知手段は、点灯色彩が変化する１又は２以上の発光器、もしくは点灯数又は点灯位置が変化する複数の発光器であり、
前記環境報知情報記憶手段は、第一環境報知情報として発光器の点灯動作を記憶すると共に、第二環境報知情報として発光器の点滅動作を記憶し、
前記制御手段は、特定した指標ランクに応じた発光器を点灯させる第一環境報知情報を特定すると共に、当該指標ランクが所定範囲内であるとき、前記第一環境報知情報に基づいて点灯する発光器とは異なる他の発光器を点滅させる第二環境報知情報を特定する、
ことを特徴とする請求項１０に記載の万人用環境情報報知装置。
【請求項１３】
前記報知手段は、点灯色彩が変化する１又は２以上の発光器、もしくは点灯数又は点灯位置が変化する複数の発光器であり、
前記環境報知情報記憶手段は、第一環境報知情報として発光器の点灯動作を記憶すると共に、第二環境報知情報として発光器の点滅動作を記憶し、
前記制御手段は、特定した指標ランクに応じた発光器を点灯させる第一環境報知情報を特定すると共に、当該指標ランクが所定範囲内であるとき、前記第一環境報知情報に基づいて点灯する発光器と、当該発光器とは異なる他の発光器とを共に点滅させる第二環境報知情報を特定する、
ことを特徴とする請求項１０に記載の万人用環境情報報知装置。
【請求項１４】
前記第二環境報知情報は、前記第一環境報知情報に基づいて点灯する発光器の点滅動作と、当該発光器とは異なる他の発光器との点滅動作とを同時に行わせるものである、
ことを特徴とする請求項１３に記載の万人用環境情報報知装置。
【請求項１５】
前記第二環境報知情報は、前記第一環境報知情報に基づいて点灯する発光器の点滅動作と、当該発光器とは異なる他の発光器との点滅動作とを交互に行わせるものである、
ことを特徴とする請求項１３に記載の万人用環境情報報知装置。
【請求項１６】
前記制御手段は、熱中症になり易い危険度、季節性流行性感冒に感染し易い危険度、肌に悪影響を及ぼし易い危険度の何れかを示す指標ランクに応じた環境報知情報を生成する、
ことを特徴とする請求項１０乃至１５の何れか１項に記載の万人用環境情報報知装置。
【請求項１７】
前記制御手段は、熱中症になり易い危険度、季節性流行性感冒に感染し易い危険度、肌に悪影響を及ぼし易い危険度の何れかを示す指標ランクに応じた環境報知情報を選択して生成し、
前記制御手段によって生成する環境報知情報の選択を行う切換スイッチをさらに備える、
ことを特徴とする請求項１０乃至１５の何れか１項に記載の万人用環境情報報知装置。
【請求項１８】
前記指標ランク情報記憶手段は、環境情報である気温又は湿度の少なくとも何れか一方の測定数値が所定数値上昇したとすると、指標ランクの危険度が上がることとなる領域に所定範囲を設定している、
ことを特徴とする請求項１０乃至１７の何れか１項に記載の万人用環境情報報知装置。
【発明の詳細な説明】
【技術分野】
【０００１】
本発明は、周囲の環境の適否を判断して知らせる環境情報報知装置に係り、詳しくは、熱中症になり易い環境か、季節性流行性感冒に感染し易い環境か、肌に悪影響を起こし易い環境か、といった環境状況の適否（危険度）を段階的に区分して報知するようにした装置において、使用者の年齢や体力、体調、体質等に関係なく、多くの使用者が環境の適否を適切に確認することができるように改良した装置に関する。
【背景技術】
【０００２】
近年、気温や湿度等から、活動する周囲の環境の適否を判断することが行われている。たとえば、熱中症は外界からの熱ストレスによって発症する疾病であり、気温や湿度等から熱環境を把握し、適切な対処を行うことで予防できる。ここで熱ストレスを評価する指標としてＷＢＧＴ（Wet-Bulb Globe Temperature：湿球黒球温度（単位：℃））が知られており、熱中症の予防対策の一つとして活用されている。このＷＢＧＴの値は、乾球温度と、自然換気状態での湿球温度、及び黒球温度から所定の式によって求めることができる。
【０００３】
また、季節性流行性感冒は、季節性インフルエンザとも呼ばれ、季節性インフルエンザウイルスによって発症する急性感染症の一種である。この季節性インフルエンザウイルスは、気温・湿度ともに低い環境を好むので、気温と湿度に気を配ることで季節性流行性感冒への感染し易さがわかり、適切な対処を行うことで予防できる。
【０００４】
また、肌のコンディションは、年齢や肌質によって個人差はあるが、周囲の空気の状態に影響され易いものである。たとえば、一般的に気温や湿度が高い状態であると、皮脂分泌量が増えてニキビが出来易くなるといわれている。一方、気温や湿度が低いと、新陳代謝が悪く肌荒れを起こし易くなると共に、皮脂分泌量が減少して肌の乾燥を招くものとなる。この肌の乾燥は、角質細胞を増やして毛穴を詰まり易くさせ、ニキビを誘発するといわれている。ゆえに、気温と湿度に気を配ることで、素肌が潤いを保つための適切なケア対策を講じることができる。
【０００５】
そこで、気温及び湿度を測定し、この測定値を基に熱中症へのなり易さや、季節性流行性感冒への感染し易さ、肌荒れのし易さといった危険度を示すように指標化し、周囲の環境の適否を判断して段階的に区分して知らせる装置がそれぞれ提案されている（たとえば、特許文献１乃至４を参照）。
これらの装置は、気温及び湿度の測定を指示するスイッチを入力操作したときに、その測定を行って指標を算出し、この指標に基づき周囲の環境の適否を判断して使用者に対する報知表示を行うものとなっている。
【０００６】
ところが、従来の装置において指標の区分は、一般的に健康な成人を想定してランク付けされている。すなわち、従来の装置における指標の区分は、健康な成人と比較して、年齢的に体力が劣る者や、病気等によって体力が落ちている者、たまたま体調が優れない者、性別等により体質を異にする者、などに適応した区分とはなっていない。ゆえに、使用者が子供や高齢者、女性、病人もしくは病み上がりの人などは、この区分による報知表示を確認しても事前に有効な対処をすることができない。そのため、使用者が子供や高齢者等の場合においては、健康な成人と比較して緩和されたランク付け（区分）がなされた装置を準備する必要がある。
【０００７】
しかしながら、装置を個人で使用する場合は、その使用者に応じた指標の区分設定が予めなされた装置を準備すれば良いが、複数の者が共同で使用する場合、適宜区分された複数の装置を準備しなければならない。すなわち、健康な成人向けの指標の区分がなされた装置と共に、子供や高齢者、女性、病人もしくは病み上がりの者などに応じた指標の区分がなされた装置とをそれぞれ準備しなければならない。
しかしながら、複数の準備をするのは経済的に負担を要すると共に、複数の装置を準備した場合、どの装置の報知にしたがって対処したら良いのか、使用者が混乱しないように設置の仕方や場所に注意をしなければならない不都合があった。
【先行技術文献】
【特許文献】
【０００８】
【特許文献１】特開２００３−３４４１７５号公報
【特許文献２】特開２００３−５０２８５号公報
【特許文献３】特開昭６３−３０５２８３号公報
【特許文献４】実用新案登録第３１５７６０４号
【発明の概要】
【発明が解決しようとする課題】
【０００９】
本発明は、上記事情に鑑みて成されたものであり、多くの使用者が環境の適否を適切に確認することができる万人用環境情報報知装置を提供することを目的とする。
【課題を解決するための手段】
【００１０】
本発明に係る万人用環境情報報知装置は、環境情報として気温及び湿度を測定し、測定した環境情報に基づいて周囲の環境の適否を段階的に区分した指標ランクに応じた視覚的情報又は聴覚的情報といった環境報知情報により報知するようにした装置であって、測定した環境情報に基づいて特定した指標ランクが、同一の指標ランク内において予め設定した所定範囲内にあるとき、当該指標ランクに応じた第一環境報知情報による報知に加えて、前記第一環境報知情報とは異なる態様である第二環境報知情報による報知を行う手段を備えていることを特徴とする。
【００１１】
上述の発明において、第一環境報知情報と第二環境報知情報は、次のようなものとすることができる。
まず、第一環境報知情報は、特定した指標ランクに応じた発光器を点灯させるものであり、第二環境報知情報は、第一環境報知情報に基づいて点灯する発光器を点滅させるものとすると良い。
【００１２】
また、第一環境報知情報は、特定した指標ランクに応じた発光器を点灯させるものであり、第二環境報知情報は、第一環境報知情報に基づいて点灯する発光器とは異なる他の発光器を点滅させるものとしても良い。
【００１３】
さらに、第一環境報知情報は、特定した指標ランクに応じた発光器を点灯させるものであり、第二環境報知情報は、第一環境報知情報に基づいて点灯する発光器と、当該発光器とは異なる他の発光器とを共に点滅させるものとしても良い。
【００１４】
また、第二環境報知情報は、第一環境報知情報に基づいて点灯する発光器と、当該発光器とは異なる他の発光器とを共に点滅させるものとした場合、それぞれの発光器の点滅動作を同時に行わせるものとしたり、交互に行わせるものとしたりすることができる。
すなわち、第二環境報知情報は、第一環境報知情報に基づいて点灯する発光器の点滅動作と、当該発光器とは異なる他の発光器との点滅動作とを同時に行わせるものとしても良い。
【００１５】
また、第二環境報知情報は、第一環境報知情報に基づいて点灯する発光器の点滅動作と、当該発光器とは異なる他の発光器との点滅動作とを交互に行わせるものとしても良い。
【００１６】
また、上述の各発明において、指標ランクは、熱中症になり易い危険度、季節性流行性感冒に感染し易い危険度、肌に悪影響を及ぼし易い危険度の何れかを示すものとすることができる。
【００１７】
また、上述の各発明において、指標ランクは、熱中症になり易い危険度、季節性流行性感冒に感染し易い危険度、肌に悪影響を及ぼし易い危険度の何れかを選択して示すものとしても良い。
【００１８】
さらに、上述の各発明において、所定範囲は、環境情報の少なくとも何れか一方の測定数値が所定数値上昇したとすると、指標ランクの危険度が上がることとなる領域に設定されたものとすることができる。
【００１９】
また、本発明に係る万人用環境情報報知装置は、環境情報として気温及び湿度を測定し、測定した環境情報に基づいて周囲の環境の適否を段階的に区分した指標ランクに応じた視覚的情報又は聴覚的情報といった環境報知情報により報知するようにした装置であって、周囲の環境情報を測定する検知手段と、前記検知手段で測定された環境情報と、環境状況を段階的に区分して設定した指標ランクとを関連付けて記憶する指標ランク情報記憶手段と、前記指標ランクと、当該指標ランクに応じて実行する環境報知情報とを関連付けて記憶する環境報知情報記憶手段と、前記検知手段で測定された環境情報に基づき前記指標ランク情報記憶手段を参照して指標ランクを特定すると共に、前記環境報知情報記憶手段を参照して当該指標ランクに応じた環境報知情報を特定する制御手段と、前記制御手段で特定された環境報知情報に応じた報知を行う報知手段と、を少なくとも備え、前記検知手段は、気温を測定する温度センサと、湿度を測定する湿度センサとから構成され、前記指標ランク情報記憶手段は、測定された環境情報から特定される指標ランクが同一となる指標ランク内を区分して所定範囲を設定するものであり、前記環境報知情報記憶手段は、環境報知情報として、指標ランクごとに行う第一環境報知情報と、指標ランクが同一の指標ランク内において予め設定した所定範囲内のときに行う前記第一環境報知情報とは異なる態様である第二環境報知情報とを記憶するものであり、前記制御手段は、前記環境報知情報記憶手段を参照し、特定した指標ランクに基づいて第一環境報知情報を特定し、当該指標ランクが同一の指標ランク内において予め設定された所定範囲内にあるとき、前記第一環境報知情報の特定と共に第二環境報知情報をも特定し、さらに、前記第一環境報知情報に前記第二環境報知情報を加えた環境報知情報を生成して、当該環境報知情報を前記報知手段に通知するものであることを特徴とする。
【００２０】
上述の発明において、報知手段と環境報知情報記憶手段と制御手段は、次のようなものとすることができる。
まず、報知手段は、点灯色彩が変化する１又は２以上の発光器、もしくは点灯数又は点灯位置が変化する複数の発光器であり、環境報知情報記憶手段は、第一環境報知情報として発光器の点灯動作を記憶すると共に、第二環境報知情報として発光器の点滅動作を記憶し、制御手段は、特定した指標ランクに応じた発光器を点灯させる第一環境報知情報を特定すると共に、当該指標ランクが所定範囲内であるとき、前記第一環境報知情報に基づいて点灯する発光器を点滅させる第二環境報知情報を特定するものとしても良い。
【００２１】
また、報知手段は、点灯色彩が変化する１又は２以上の発光器、もしくは点灯数又は点灯位置が変化する複数の発光器であり、環境報知情報記憶手段は、第一環境報知情報として発光器の点灯動作を記憶すると共に、第二環境報知情報として発光器の点滅動作を記憶し、制御手段は、特定した指標ランクに応じた発光器を点灯させる第一環境報知情報を特定すると共に、当該指標ランクが所定範囲内であるとき、前記第一環境報知情報に基づいて点灯する発光器とは異なる他の発光器を点滅させる第二環境報知情報を特定するものとしても良い。
【００２２】
さらに、報知手段は、点灯色彩が変化する１又は２以上の発光器、もしくは点灯数又は点灯位置が変化する複数の発光器であり、環境報知情報記憶手段は、第一環境報知情報として発光器の点灯動作を記憶すると共に、第二環境報知情報として発光器の点滅動作を記憶し、制御手段は、特定した指標ランクに応じた発光器を点灯させる第一環境報知情報を特定すると共に、当該指標ランクが所定範囲内であるとき、前記第一環境報知情報に基づいて点灯する発光器と、当該発光器とは異なる他の発光器とを共に点滅させる第二環境報知情報を特定するものとしても良い。
【００２３】
ここで、第二環境報知情報は、第二環境報知情報は、第一環境報知情報に基づいて点灯する発光器と、当該発光器とは異なる他の発光器とを共に点滅させるものとした場合、それぞれの発光器の点滅動作を同時に行わせるものとしたり、交互に行わせるものとしたりすることができる。
すなわち、第二環境報知情報は、第一環境報知情報に基づいて点灯する発光器の点滅動作と、当該発光器とは異なる他の発光器との点滅動作とを同時に行わせるものとしても良い。
【００２４】
また、第二環境報知情報は、前記第一環境報知情報に基づいて点灯する発光器の点滅動作と、当該発光器とは異なる他の発光器との点滅動作とを交互に行わせるものとしても良い。
【００２５】
また、上述の各発明において、制御手段は、熱中症になり易い危険度、季節性流行性感冒に感染し易い危険度、肌に悪影響を及ぼし易い危険度の何れかを示す指標ランクに応じた環境報知情報を生成するものとすることができる。
【００２６】
また、上述の各発明において、制御手段は、熱中症になり易い危険度、季節性流行性感冒に感染し易い危険度、肌に悪影響を及ぼし易い危険度の何れかを示す指標ランクに応じた環境報知情報を選択して生成し、制御手段によって生成する環境報知情報の選択を行う切換スイッチをさらに備えるものとすることができる。
【００２７】
さらに、上述の各発明において、指標ランク情報記憶手段は、環境情報である気温又は湿度の少なくとも何れか一方の測定数値が所定数値上昇したとすると、指標ランクの危険度が上がることとなる領域に所定範囲を設定しているものとすることができる。
【発明の効果】
【００２８】
本発明の万人用環境情報報知装置は、測定した環境情報に基づいて特定される指標ランク内において、所定範囲が予め設定されたものとなっており、指標ランクに応じて実行される環境報知情報が、当該指標ランクごとに行う第一環境報知情報と、当該指標ランクが予め設定された所定範囲内にあるときに行う、第一環境報知情報とは異なる態様である第二環境報知情報とから構成されるものとした。すなわち、本発明は、測定した環境情報に基づいて特定される指標ランク内に、区分の条件が緩和された所定範囲を設け、指標ランクに応じた環境報知情報（第一環境報知情報）と、指標ランク内の所定範囲に応じた環境報知情報（第二環境報知情報）とを設定したものである。
【００２９】
これにより、本発明の万人用環境情報報知装置は、測定した環境情報から特定した指標ランクが所定範囲内でないときは、当該指標ランクに応じた第一環境報知情報による報知を行い、一方、測定した環境情報から特定した指標ランクが所定範囲内であるとき、当該指標ランクに応じた第一環境報知情報に第二環境報知情報を加えた報知を行うことができるものとなる。
【００３０】
したがって、一つの装置において、第一環境報知情報に応じた通常の報知と、この第一環境報知情報に第二環境報知情報を加えた緩和した報知とを行うことができるので、使用者の年齢や体力、体調、体質等に応じて指標の区分がなされた装置を適宜準備したり、指標の区分が異なる複数の装置を準備したりすることなく、多くの使用者が自分に合わせて周囲環境の適否を適切に確認することができるようになる。
【図面の簡単な説明】
【００３１】
【図１】本発明に係る携帯型万人用環境情報報知装置の外観を示す正面図である。
【図２】図１に示す万人用環境情報報知装置の外観を示す側面図である。
【図３】図１に示す万人用環境情報報知装置の内部構成を示す回路ブロック図である。
【図４】本発明に係る万人用環境情報報知装置の動作を説明するフローチャート図である。
【図５】本発明に係る万人用環境情報報知装置の動作を説明するフローチャート図である。
【図６】本発明に係る万人用環境情報報知装置の動作を説明するフローチャート図である。
【図７】本発明に係る万人用環境情報報知装置で測定した気温及び湿度と、これにより特定される熱中症の指標を示す指標ランクとの関係の一例を示す図である。
【図８】図７に示す指標ランク特定表で示す指標ランク内において設定された所定範囲を部分的詳細に説明する図である。
【図９】図７及び図８に基づいて特定した指標ランクと、これに応じた第一環境報知情報、及び指標ランク内において設定された所定範囲と、これに応じた第二環境報知情報との関係の一例を説明する図である。
【図１０】本発明に係る万人用環境情報報知装置の報知動作を説明する図である。
【図１１】本発明に係る万人用環境情報報知装置で特定した指標ランクと、これに応じた第一環境報知情報、及び指標ランク内において設定された所定範囲と、これに応じた他の第二環境報知情報との関係の一例を説明する図である。
【図１２】図１１に示す第二環境報知情報に基づく報知動作を説明する図である。
【図１３】本発明に係る万人用環境情報報知装置で特定した指標ランクと、これに応じた第一環境報知情報、及び指標ランク内において設定された所定範囲と、これに応じた他の第二環境報知情報との関係の一例を説明する図である。
【図１４】図１３に示す第二環境報知情報に基づく報知動作を説明する図である。
【図１５】図１３に示す第二環境報知情報に基づく他の報知動作を説明する図である。
【図１６】本発明に係る万人用環境情報報知装置で特定した指標ランクと、これに応じた他の第一環境報知情報、及び指標ランク内において設定された所定範囲と、これに応じた第二環境報知情報との関係の一例を説明する図である。
【図１７】図１６に示す第二環境報知情報に基づく報知動作を説明する図である。
【図１８】本発明に係る万人用環境情報報知装置で特定した指標ランクと、これに応じた他の第一環境報知情報、及び指標ランク内において設定された所定範囲と、これに応じた他の第二環境報知情報との関係の一例を説明する図である。
【図１９】図１８に示す第二環境報知情報に基づく報知動作を説明する図である。
【図２０】本発明に係る設置型万人用環境情報報知装置の外観を示す正面図である。
【図２１】本発明に係る万人用環境情報報知装置で測定した気温及び湿度と、これにより特定されるインフルエンザの指標（風邪指標）を示す指標ランクとの関係の一例を示す指標ランク特定表である。
【図２２】図２１に基づいて特定した指標ランクと、これに応じた第一環境報知情報、及び指標ランク内において設定された所定範囲と、これに応じた第二環境報知情報との関係の一例を説明する図である。
【図２３】本発明に係る万人用環境情報報知装置で測定した気温及び湿度と、これにより特定される素肌の乾燥の指標を示す指標ランクとの関係の一例を示す指標ランク特定表である。
【図２４】図２３に基づいて特定した指標ランクと、これに応じた第一環境報知情報、及び指標ランク内において設定された所定範囲と、これに応じた第二環境報知情報との関係の一例を説明する図である。
【図２５】本発明に係る指標切換機能付き設置型万人用環境情報報知装置において第一の機能の報知動作を説明する正面図である。
【図２６】本発明に係る指標切換機能付き設置型万人用環境情報報知装置において第二の機能の報知動作を説明する正面図である。
【図２７】図２５及び図２６に示す万人用環境情報報知装置の内部構成を示す回路ブロック図である。
【発明を実施するための形態】
【００３２】
以下、図面を参照しながら、本発明の万人用環境情報報知装置について説明する。
本発明の万人用環境情報報知装置は、環境情報として気温及び湿度を測定し、測定した環境情報に基づいて周囲の環境の適否を、段階的に区分した指標ランクに応じた視覚的情報や聴覚的情報といった環境報知情報により報知するようにした装置である。
本実施の形態では、装置の一例として、使用者が身に付けて作業を行うのに不都合のない（邪魔にならない）大きさ及び形態をした携帯型万人用環境情報報知装置について説明する。
【００３３】
図１乃至図３に示すように、本実施の形態に係る携帯型万人用環境情報報知装置（以下、単に「装置」という。）１は、検知部２と、記憶部３と、制御部６と、報知部７とを少なくとも備え、これらを保持する筐体１０をさらに備える。
【００３４】
検知部２は、周囲の環境情報を測定する処理を行うものであり、使用者に対して報知する情報に応じて選定された１又は２以上の種々の装置により構成されている。本装置１において検知部２は、温度検知部２１及び湿度検知部２２といった２つのセンサによって構成されている。
【００３５】
温度検知部２１は、気温を測定する処理を行うものである。ゆえに、温度検知部２１は、周囲環境の第一の情報として気温を測定する第１検知部である。
この温度検知部２１としては、たとえば、白金抵抗温度センサ等の電気式温度計を挙げることができる。白金抵抗温度センサは、温度に対する白金の電気的な抵抗値の変化を測定し、この抵抗値を変換部にて温度に換算し出力する。
【００３６】
湿度検知部２２は、湿度を測定する処理を行うものである。ゆえに、湿度検知部２２は、周囲環境の第二の情報として湿度を測定する第２検知部である。
この湿度検知部２２としては、たとえば、高分子膜湿度センサ等の電気式湿度計を挙げることができる。高分子膜湿度センサは、相対湿度に対する高分子膜に含まれる水分の量が変化（水分の吸収・放出）による誘電率の変化を、コンデンサの静電容量の変化として測定し、この静電容量を変換部にて相対湿度に換算し出力する。
【００３７】
記憶部３は、検知部２で測定された環境情報に基づいて特定される指標ランクに応じて実行する環境報知情報を記憶する。本実施の形態において記憶部３は、指標ランク情報記憶部３１及び環境報知情報記憶部３２によって構成されている。
【００３８】
指標ランク情報記憶部３１は、検知部２で測定される環境情報（すなわち、気温と湿度）と、環境状況を段階的に区分して設定した指標ランクとを関連付けて記憶する。
また、指標ランク情報記憶部３１は、測定された環境情報から特定される指標ランクが同一となる指標ランク内を区分して設定された所定範囲を記憶するものである。この所定範囲は、指標ランク内をさらに区分して設けた緩和された指標ランク領域、すなわち、もう少しで指標ランクの区分が上がることを予告的に示すものであり、全ての指標ランクにおいてそれぞれ設定されたものでも良いが、少なくとも１つの指標ランク内において設定されていれば良い。
【００３９】
また、この所定範囲は、気温又は湿度の少なくとも何れか一方の測定数値が所定数値上昇したとすると、指標ランクの危険度が上がることとなる環境情報の領域に設定されたものとする良い。これにより、指標ランクが同じ数値であっても、熱中症になり易い危険度が上昇しつつある状況のときだけ、第二環境報知情報に応じた報知を行い、熱中症になり易い危険度が低下している状況のときは、第一環境報知情報に応じた報知だけを行うものとすることができる。
【００４０】
なお、指標ランク情報記憶部３１は、環境情報に代えて、環境情報に基づいて所定の式によって算出した指標と、指標ランクとを関連付けて記憶するものとしても良い。これにより、制御部６では、検知部２で測定された環境情報に基づいて指標を算出し、当該指標に基づき指標ランク情報記憶部３１を参照して指標ランクを特定することができる。
【００４１】
環境報知情報記憶部３２は、指標ランク情報記憶部３１において特定される指標ランクと、当該指標ランクに応じて実行する環境報知情報とを関連付けて記憶するものである。この環境報知情報として、指標ランクごとに行う第一環境報知情報と、指標ランクが同一の指標ランク内において予め設定した所定範囲内のときに行う、第一環境報知情報とは異なる態様である第二環境報知情報とを記憶する。
すなわち、環境報知情報記憶部３２は、指標ランクに応じて区分された範囲ごとに第一環境報知情報をそれぞれ記憶すると共に、指標ランク内においてさらに区分された所定範囲に応じる第二環境報知情報をそれぞれ記憶するものとなっている。
【００４２】
制御部６は、温度検知部２１及び湿度検知部２２での測定の実行を指示する処理を行う。すなわち、制御部６は、たとえば、電源スイッチ４がＯＮされることによって周囲の環境情報の測定の指示を受付けたとき、計時部９２で計測された経過時間に基づいて一定時間ごとに温度検知部２１及び湿度検知部２２での測定の実行を継続的に繰り返し指示する処理を行う機能を備える。
【００４３】
電源スイッチ部４は、温度検知部２１及び湿度検知部２２での測定を開始する指示を受付けるものである。この電源スイッチ部４は、たとえば、操作することで移動した位置に止まるスライドスイッチや、操作することで一時的に移動し、すぐに元の位置に復帰する押圧ボタンスイッチとすることができる。
【００４４】
計時部９２は、経過時間を計測する処理を行うものである。この計時部３としては、たとえば水晶振動子と発振回路ＩＣとを組み合わせる（もしくは１つのパッケージに内蔵する）ことで水晶発振子を使用して発振周波数を制御する３２．７６８ｋＨｚ水晶発振器を挙げることができる。
【００４５】
制御部６は、温度検知部２１及び湿度検知部２２での測定が実行されると、温度検知部２１で測定された温度情報と、湿度検知部２２で測定された湿度情報とに基づき、指標ランク情報記憶部３１を参照して所定の指標ランクを特定する処理を行う。
この指標ランクとしては、たとえば、熱中症になり易い危険度を段階的に区分して示すものや、季節性流行性感冒に感染し易い危険度を段階的に区分して示すもの、肌に悪影響を起こし易い危険度を段階的に区分して示すもの等とすることができる。したがって、制御部６は、熱中症になり易い危険度を示す指標ランクを特定する処理を行うものとしたり、季節性流行性感冒に感染し易い危険度を示す指標ランクを特定する処理を行うものとしたり、肌に悪影響を起こし易い危険度を示す指標ランクを特定する処理を行うもの、等することができる。
【００４６】
また、制御部６は、所定の指標ランクを特定すると、環境報知情報記憶部３２を参照してこの指標ランクに応じた第一環境報知情報を特定する処理を行う。
この第一環境報知情報は、特定した指標ランクに応じて行う基本環境報知情報のことであり、たとえば、後述する報知部７が発光器（ＬＥＤ）７１である場合、発光器を点灯させる指示内容をいい、報知部７が警報器（ブザー）７２である場合、警報器を発鳴させる指示内容をいう。また、第一環境報知情報は、指標ランクに応じて範囲が区分され、この範囲ごとに発光器の異なった点灯内容や、警報器の異なった発鳴内容となっている。
【００４７】
さらに、制御部６は、当該指標ランクが同一の指標ランク内において予め設定された所定範囲内にあるか否かを判断し、この指標ランクが所定範囲内であるとき、環境報知情報記憶部３２を参照して第二環境報知情報を特定する処理を行う。
この第二環境報知情報は、第一環境報知情報に付随して行う付加環境報知情報のことであり、指標ランクに応じて区分された範囲においてさらに特定した範囲に設定され、たとえば、後述する報知部７が発光器（ＬＥＤ）７１である場合、発光器を点滅させる指示内容となっている。
【００４８】
そして、制御部６は、特定した第一環境報知情報に第二環境報知情報を加えた環境報知情報（すなわち、第一環境報知情報と第二環境報知情報に基づく指示情報）を生成して報知部７に対して行う。
【００４９】
このように本装置１は、測定した環境情報に基づいて特定した指標ランクが、同一の指標ランク内において予め設定した所定範囲内にあるとき、当該指標ランクに応じた第一環境報知情報による報知に加えて、当該第一環境報知情報とは異なる態様である第二環境報知情報による報知を行う手段を備えていることを特徴とする。
【００５０】
この制御部６は、たとえば、ＣＰＵ６１やメモリ、ＲＯＭ(Read Only Memory）６２、ＲＡＭ（Random Access Memory）６３、各種回路等を具備するＩＣとすることができる。制御部６に具備されたＲＯＭ６２は、指標ランク情報記憶部３１及び環境報知情報記憶部３２として機能するもの（すなわち、プログラム上に指標ランク情報と第一環境報知情報及び第二環境報知情報が設定されたもの）としても良い。
したがって、制御部６は、本装置１の各構成要素を統制制御し、プログラム記憶部（ＲＯＭ）に記憶された各種プログラムに従って上述のようにそれぞれの処理を実行する。
【００５１】
また、本装置１は、さらにリセットスイッチ４１備える。このリセットスイッチ４１が押圧されることで、制御部６は、周囲の環境情報の測定の指示を受付け、温度検知部２１及び湿度検知部２２での測定の実行を指示する処理を直ちに行うものとする機能をさらに備える。すなわち、制御部６は、一定時間ごとに周囲の環境情報の測定の実行を継続的に繰り返す処理がなされている途中であっても、リセットスイッチ４１が押圧された場合、測定時間を再設定（リセット）して直ちに温度検知部２１及び湿度検知部２２での測定の実行を指示する処理を行うものとしても良い。
【００５２】
また、制御部６は、報知部７での報知を所定時間後に停止させる処理を行う報知停止機能をさらに備える。本実施の形態では、給電用の電源部９１として３Ｖのボタン型電池を備えているが、この機能により、報知部７において費やされる電源部９１の消費電力を抑えることができる。  
【００５３】
報知部７は、制御部６で特定された第一環境報知情報や第二環境報知情報に応じた報知処理を行うものである。すなわち、報知部７は、第一環境報知情報に応じた報知を行うと共に、指標ランクが所定範囲内のとき、第一環境報知情報に加えて第二環境報知情報に応じた報知を行う。
この報知部７としては、たとえば、第一環境報知情報や第二環境報知情報に応じて点灯する色彩が変化する発光器７１とすることができる。
【００５４】
この発光器７１としては、たとえば、発光ダイオード（ＬＥＤ：Light Emitting
Diode）を挙げることができる。また、ＬＥＤ７１の発光色には、緑、黄緑、黄、橙、赤等がある。ゆえに、報知部７は、ＬＥＤ７１を１又は２以上設け、指標ランクの区分に応じて点灯するＬＥＤ７１の色彩や報知数が変化するものとしても良い。
これにより、点灯するＬＥＤ７１の色彩によって、環境の適否を視覚的に容易に認識させることができる。
【００５５】
また、報知部７は、ＬＥＤ７１を複数設け、指標ランクの区分に応じて点灯する発光器７１の報知数や報知位置が変化するものとしても良い。
これにより、点灯するＬＥＤ７１の報知数や報知位置によって、環境の適否を視覚的に容易に認識させることができる。
【００５６】
さらに、報知部７は、ＬＥＤ７１に代えてもしくはＬＥＤ７１と共に、制御部６で特定された指標ランクが一定の区分を超えたときに発鳴する警報器７２を備えるものとしても良い。
これにより、発鳴するブザー音によって、環境の適否を聴覚的に容易に認識させることができる。
【００５７】
図１において、５つの発光ダイオード（ＬＥＤ）７１を用いた報知部７だけが示されているが、本実施の形態における装置１は、図３に示すように、筐体１０の内部に警報器７２を用いた報知部７も具備している。
【００５８】
また、筐体１０の正面ほぼ中央部には、温度検知部２１で測定した気温と、湿度検知部２２で測定した湿度を表示する表示部（ディスプレイ）８が設けられている。ゆえに、第一環境報知情報や第二環境報知情報に応じたＬＥＤ７１の点灯、警報器７２の発鳴による報知と共に、測定した気温及び湿度を表示部８に表示して報知することができる。
【００５９】
さらに、筐体１０には、温度検知部２１及び湿度検知部２２で測定する周囲の空気を取り入れるための開口部１２が複数設けられている。また、この開口部１２は、発鳴した警報器７２の警報音が外部へ伝達されることを良好なものとする警報音出力部としても機能する。図２において、開口部１２は筐体１０の側面に設けられたものとして示されている。
【００６０】
このように構成した装置１は、本実施の形態で説明するように、使用者が身に取り付けて携帯可能とするほか、後述するように、使用場所や目的に応じて筐体の形状や大きさ等を変更することにより、机やテーブル等の上に載置したり、壁に掛けたりして使用可能とすることができる。
【００６１】
ここで、使用者が装置１を身に付ける手段としては、特に限定されない。したがって、たとえば装置１に紐やストラップ、ベルト等の保持具１１を取り付け、紐を首に掛けて提げたり、ストラップをズボンのベルト通し穴に固定したり、ベルトを腕や手首に巻き付けたりすると良い。また、利用に際して長さ調節が可能な巻き付けリールを介して取り付けるようにしても良い。
【００６２】
図１及び図２において、筐体１０の上部に、保持具１１として環状の吊り下げ紐が取り付けられた状態が示されている。なお、本装置１は、仕事や運動といった作業を行う者が身に付けては邪魔になる虞がある場合には、保持具１１を用いて使用者の身辺に取り付けるものとしても良い。
【００６３】
次に、上述した本装置１の動作の一例を、図を参照しながら説明する。
本実施の形態では、熱中症になり易い環境であるか否かを報知する装置（以下、「熱中症指標計」という。）を一例として説明する。
【００６４】
＜熱中症指標計＞
まず、図４に示すように、制御部６が、電源スイッチ４がｏｎされた状態であるか否か判断する（Ｓ１０）。
その結果、制御部６が、電源スイッチ４がｏｎされた指示を受け付けた場合（ＹＥＳ）、制御部６は、計時部９２から経過時間の計測情報を得て、予め設定された所定時間の計測を開始する（Ｓ２０）。すなわち、図１０（Ａ）に示すように、電源スイッチ４が「ＯＦＦ」の位置から「ＯＮ」の位置へ移動する操作が行われると、電源スイッチ４がｏｎされたことになり、以後、電源スイッチ４が「ＯＮ」の位置から「ＯＦＦ」の位置へ戻されない（移動されない）限りｏｎされた状態を維持する。
一方、制御部６が、電源スイッチ４がｏｎされた指示を受け付けていない場合（ＮＯ）、制御部６は、電源スイッチ４がｏｎされた状態であるか否か再度判断する（Ｓ１０）。
【００６５】
引き続き、制御部６は、予め設定された所定時間が経過したか否か判断する（Ｓ３０）。
その結果、制御部６が、所定時間が経過したと判断した場合（ＹＥＳ）、制御部６は、温度検知部としての温度センサ２１と湿度検知部としての湿度センサ２２での測定を指示し、温度センサ２１は、筐体１０の開口部１２より取り込まれた空気の気温測定を開始すると共に、湿度センサ２２も、同空気の湿度測定を開始する（Ｓ４０）。
【００６６】
一方、制御部６が、未だ所定時間が経過していないと判断した場合（ＮＯ）、制御部６は、予め設定された所定時間が経過したか否かの判断を繰り返す（Ｓ３０）。
したがって、制御部６は、電源スイッチ４がｏｎされた状態であれば、計測した経過時間に基づいて一定時間ごとに、温度センサ２１と湿度センサ２２での測定を継続的に実行する。
【００６７】
そして、制御部６は、測定の指示に基づいて温度センサ２１及び湿度センサ２２での測定結果を受け付け、まず、気温は０℃以上５０℃以下であるか否か判断する（Ｓ５０）。
その結果、制御部６は、気温が０℃以上５０℃以下であると判断した場合（ＹＥＳ）、制御部６は、引き続き湿度は２０％以上９０％以下であるか否か判断する（Ｓ６０）。
【００６８】
制御部６は、湿度が２０％以上９０％以下であると判断した場合（ＹＥＳ）、指標ランク情報記憶部３１を参照して、温度センサ２１から得た気温情報及び湿度センサ２２から得た湿度情報とに基づいて、所定の指標ランクを特定する（Ｓ７０）。
指標ランクの特定は、測定した気温及び湿度の環境情報と、これにより特定される熱中症の指標を示す指標ランクとを関連付けたデータテーブルに基づいて行うことができる。このデータテーブルは、説明の便宜上、たとえば、図７において指標ランク特定表として示すことができる。
【００６９】
図７に示す指標ランク特定表は、横軸に気温が示され、縦軸に湿度が示され、これら気温と湿度の交点において指標値ランクが示された一覧表となっている。
図７において、気温は、説明の関係上２０℃から４５℃までの範囲において、５℃間隔ずつ２０℃、２５℃、３０℃、３５℃、４０℃、４５℃として設定されている。この気温の設定間隔は任意であり、温度センサ２１で検知可能な気温情報の範囲において、１℃間隔であっても良いし、０．１℃や０．５℃、２℃といった任意の間隔で設定したものとしても良い。
湿度は、０％から１００％の範囲において、１０％間隔ずつ０％、１０％、２０％・・・８０％、９０％、１００％として設定されている。この湿度の設定間隔も任意であり、湿度センサ２２で検知可能な湿度情報の範囲において、１％間隔であっても良いし、２％や５％といった任意の間隔で設定したものとしても良い。
【００７０】
また、指標値ランクは、「ほぼ安全」を意味する「Ａ」、「注意」を意味する「Ｂ」、「警戒」を意味する「Ｃ」、「厳重警戒」を意味する「Ｄ」、「危険」を意味する「Ｅ」、として規定されることが示されている。具体的には、たとえば、気温が２０℃、湿度が５０％の場合（以下、説明の便宜上、気温と湿度の順番で座標のように「２０，５０」として記す。）、指標ランクは「Ａ」となっている。同様に、「２５，６０」の場合、指標ランクは「Ｂ」であり、「３０，６０」の場合、指標ランクは「Ｃ」であり、「３０，７０」の場合、指標ランクは「Ｄ」であり、「３５，８０」の場合、指標ランクは「Ｅ」となっている。
【００７１】
この指標ランクは、たとえば、従来から知られているＷＢＧＴを求める所定の式によって算出した指標を基に区分しても良いし、所定の式に独自の係数を加減乗除して算出した指標を基に区分しても良い。また、気温と湿度の経験値から指標ランクを定めて区分するようにしても良い。
【００７２】
制御部６は、指標ランクを特定した後、環境報知情報記憶部３２を参照して指標ランクに基づいて、第一環境報知情報としての基本環境報知情報を特定する（Ｓ８０）。
基本環境報知情報の特定は、指標ランクと、これに応じた基本環境報知情報とを関連付けたデータテーブルに基づいて行うことができる。このデータテーブルは、説明の便宜上、図９において環境報知情報特定表として示すことができる。図９に示す環境報知情報特定表は、ＬＥＤ７１の色彩を変化させる場合の基本環境報知情報の報知方法が示された一覧表となっている。
【００７３】
図９においては、報知手段を発光器（ＬＥＤ）及び警報器（ブザー）とし、基本環境報知情報として、指標値ランクに応じて点灯するＬＥＤの色彩が変化すると共に、ブザーの発鳴有無及び発鳴の仕方を規定したものとして示されている。たとえば、指標値ランクが「Ａ」であれば、ＬＥＤが緑色に点灯し、ブザーは発鳴しない、指標値ランクが「Ｂ」であれば、ＬＥＤが黄緑色に点灯し、ブザーは発鳴しない、指標値ランクが「Ｃ」であれば、ＬＥＤが黄色に点灯し、ブザーは発鳴しない、指標値ランクが「Ｄ」であれば、ＬＥＤが橙色に点灯すると共に、ブザーは短く５回発鳴する、そして、指標値ランクが「Ｅ」であれば、ＬＥＤが赤色に点灯すると共に、ブザーは１０秒間連続して発鳴する、といった指示を行うことが示されている。
【００７４】
また、制御部６は、基本環境報知情報を特定した後、環境情報から特定した指標ランクが所定範囲内であるか否か判断する（Ｓ９０）。
指標ランクが所定範囲内であるか否かの判断は、同一の指標ランク内において、気温又は湿度の少なくとも何れか一方の測定数値が所定数値上昇したとすると、指標ランクの危険度が上がることとなる領域を所定範囲として設定したデータテーブルに基づいて行うことができる。このデータテーブルは、説明の便宜上、たとえば、図８において所定範囲が設定された指標ランク特定表として示すことができる。
【００７５】
図８に示す指標ランク特定表は、所定範囲についての説明の便宜上、図７中において符号Ａで示す領域での指標ランク及び所定範囲が示された一覧表となっている。
図８において、気温は、２５℃から３５℃までの範囲において、１℃間隔に設定して示され、湿度は５０％から９０％までの範囲において、５％間隔で設定して示されている。そして、所定範囲は、指標ランク「Ｂ」，「Ｃ」，「Ｄ」において、図８中、指標ランクが太字、かつ、網掛けで示された部分に設定されたもの（すなわち、所定範囲内あることを示す符号が付されているもの）として示されている。
したがって、測定した気温及び湿度から特定される指標ランクが、たとえば、所定範囲情報として符号を伴う場合、指標ランクは所定範囲内であると判断されるものとなる。
【００７６】
具体的には、指標ランクＢは「２５，５０〜９０（５０％乃至９０％）」「２６，５０〜７５」「２７，５０〜６５」及び「２８，５０」の範囲に区分され、そのうち気温が所定数値として１℃以上上昇したとすると指標ランクが「Ｂ」から「Ｃ」へ代わることとなる、「２５，８０〜９０」「２６，７０〜７５」「２７，５５〜６５」「２８，５０」に所定範囲は設定されたものとなっている。また、重複するが、指標ランクＢの範囲において、湿度が所定数値として５％以上上昇したとすると指標ランクが「Ｂ」から「Ｃ」へ代わることとなる、「２６，７５」「２７，６５」「２８，５０」に所定範囲は設定されたものとなっている。さらに、指標ランクＢの範囲において、気温が所定数値として１℃以上し、かつ、湿度が所定数値として５％以上共に上昇したとすると指標ランクが「Ｂ」から「Ｃ」へ代わることとなる、「２５，７５」「２６，６５」「２７，５０」にも所定範囲は設定されたものとなっている。
【００７７】
また、指標ランクＣは「２６，８０〜９０」、「２７，７０〜９０」、「２８，５５〜９０」「２９，５０〜７５」「３０，５０〜６５」及び「３１，５０〜５５」の範囲に区分され、そのうち気温が所定数値として１℃以上上昇したとすると指標ランクが「Ｃ」から「Ｄ」へ代わることとなる、「２８，８０〜９０」「２９，７０〜７５」「３０，６０〜６５」「３１，５０〜５５」に所定範囲は設定されたものとなっている。また、重複するが、指標ランクＣの範囲において、湿度が所定数値として５％以上上昇したとすると指標ランクが「Ｃ」から「Ｄ」へ代わることとなる、「２９，７５」「３０，６５」「３１，５５」に所定範囲は設定されたものとなっている。さらに、指標ランクＣの範囲において、気温が所定数値として１℃以上し、かつ、湿度が所定数値として５％以上共に上昇したとすると指標ランクが「Ｃ」から「Ｄ」へ代わることとなる、「２８，７５」「２９，６５」「３０，５５」にも所定範囲は設定されたものとなっている。
【００７８】
さらに、指標ランクＤは「２９，８０〜９０」、「３０，７０〜９０」、「３１，６０〜８５」「３２，５０〜７５」「３３，５０〜６５」及び「３４，５０〜５５」の範囲に区分され、そのうち気温が所定数値として１℃以上上昇したとすると指標ランクが「Ｄ」から「Ｅ」へ代わることとなる、「３０，９０」「３１，８０〜８５」「３２，７０〜７５」「３３，６０〜６５」及び「３４，５０〜５５」に所定範囲は設定されたものとなっている。また、重複するが、指標ランクＤの範囲において、湿度が所定数値として５％以上上昇したとすると指標ランクが「Ｄ」から「Ｅ」へ代わることとなる、「３１，８５」「３２，７５」「３３，６５」及び「３４，５５」に所定範囲は設定されたものとなっている。さらに、指標ランクＤの範囲において、気温が所定数値として１℃以上し、かつ、湿度が所定数値として５％以上共に上昇したとすると指標ランクが「Ｄ」から「Ｅ」へ代わることとなる、「３０，８５」「３１，７５」「３２，６５」及び「３３，５５」にも所定範囲は設定されたものとなっている。
【００７９】
その結果、制御部６が、指標ランクは所定範囲内であると判断した場合（ＹＥＳ）、制御部６は、環境報知情報記憶部３２を参照して指標ランクに基づいて、第二環境報知情報としての付加環境報知情報を特定する（Ｓ１００）。
付加環境報知情報の特定は、指標ランク内において設定された所定範囲情報と、これに応じた付加環境報知情報とを関連付けたデータテーブルに基づいて行うことができる。このデータテーブルは、説明の便宜上、図９において環境報知情報特定表として示すことができる。したがって、環境報知情報記憶部３２は、指標ランク情報と、これに応じた基本環境報知情報とを関連付けて記憶すると共に、指標ランク内において設定された所定範囲情報と、これに応じた付加環境報知情報とを関連付けて記憶する。
【００８０】
図９においては、付加環境報知情報は、たとえば、指標値ランクがＢであって、所定範囲内あれば、黄緑色のＬＥＤが点灯するといった基本環境報知情報に加えて、点灯する黄緑色のＬＥＤが点滅するといった付加環境報知情報に応じた報知を行うものとして示されている。また、付加環境報知情報は、指標値ランクがＣであって、所定範囲内あれば、黄色のＬＥＤが点灯するといった基本環境報知情報に加えて、点灯する黄色のＬＥＤが点滅するといった付加環境報知情報に応じた報知を行うものとして示されている。さらに、付加環境報知情報は、指標値ランクがＤであって、所定範囲内あれば、橙色のＬＥＤが点灯するといった基本環境報知情報に加えて、点灯する橙色のＬＥＤが点滅するといった付加環境報知情報に応じた報知を行うものとして示されている。
【００８１】
したがって、制御部６が、指標ランクは所定範囲内であると判断した場合（ＹＥＳ）、制御部６は、温度センサ２１から得た気温情報、及び湿度センサ２２から得た湿度情報を表示部（ディスプレイ）８へ送ると共に、特定した基本環境報知情報に付加環境報知情報を加えた報知情報を生成して報知部７へ送る。
一方、制御部６が、指標ランクは範囲内でない判断した場合（ＮＯ）、制御部６は、温度センサ２１から得た気温情報、及び湿度センサ２２から得た湿度情報と共に表示部（ディスプレイ）８へ送ると共に、特定した基本環境報知情報による報知情報を生成して報知部７へ送る。
【００８２】
そして、表示部８は、制御部６から送られた気温情報と湿度情報に応じた表示を行う（Ｓ１１０）。
この表示部８での表示としては、たとえば、図１０（Ｂ）に示すように、測定した気温及び湿度を表示することができる。
図１０（Ｂ）において、表示部８には、気温が「３２．３℃」、湿度が「７８％」と表示されていることが示されている。
【００８３】
一方、報知部７は、制御部６から送られた報知情報による指示に応じて、該当するＬＥＤ７１を点灯、もしくは該当するＬＥＤ７１を点灯すると共に、所定のＬＥＤ７１を点滅する報知を行う（Ｓ１２０）。
【００８４】
この報知部での基本環境報知情報の報知動作としては、たとえば、図１０（Ｂ）に示すように、指標ランクに応じて何色のＬＥＤが点灯するかといったＬＥＤの色彩の変化と、何番目のＬＥＤが点灯するかといったＬＥＤの位置の変化で行うことができる。
図１０（Ｂ）において、５つのＬＥＤ７１ａ，７１ｂ，７１ｃ，７１ｄ，７１ｅが備えられ、図中一番左に配された１番目のＬＥＤ７１ａがほぼ安全を示す緑色、２番目のＬＥＤ７１ｂが注意を示す黄緑色、図中真ん中に配された３番目のＬＥＤ７１ｃが警戒を示す黄色、４番目のＬＥＤ７１ｄが厳重警戒を示す橙色、図中一番右に配された５番目のＬＥＤ７１ｅが危険を示す赤色、といった位置ごとに異なる色彩を呈するものとした場合、環境報知情報に応じた報知は、３番目の黄色のＬＥＤ７１ｃが点灯するものとして示されている。これにより、現在の周囲の環境は、「警戒」を要するものであることがわかる。
【００８５】
なお、基本環境報知情報は、ＬＥＤがいくつ点灯するかといったＬＥＤの点灯数や、何番目のＬＥＤが点灯するかといったＬＥＤの点灯位置、ＬＥＤの色彩変化とＬＥＤの点灯数又は点灯位置を適宜組み合わせて報知するものであっても良い。
【００８６】
一方、付加環境報知情報が加わった報知動作としては、図１０（Ｂ）及び（Ｃ）に示すように、基本環境報知情報に基づいて点灯するＬＥＤの点滅で行うことができる。
図１０において、基本環境報知情報と付加環境報知情報に応じた報知は、基本環境報知情報に応じて、３番目の黄色のＬＥＤ７１ｃが点灯する（図１０（Ｂ）を参照）と共に、付加環境報知情報に応じて、点灯している３番目の黄色のＬＥＤ７１ｃが一時的に消灯する（図１０（Ｃ）を参照）ことが交互に繰り返されることで、３番目の黄色のＬＥＤ７１ｃが点滅するものとして示されている。
【００８７】
なお、図４には示していないが、本発明において、付加環境報知情報は、熱中症になり易い危険度が上昇しつつある状況のときだけ、これに応じた報知を行うものとすると望ましい。すなわち、特定された指標ランクが同じ区分であったとしても、熱中症になり易い危険度が低下している状況のときは付加環境報知情報に応じた報知は行わないものとする。
【００８８】
この基本環境報知情報と付加環境報知情報に応じた報知は、何色のＬＥＤを点滅させるか、何番目のＬＥＤを点滅させるか、ＬＥＤをいくつ点滅させるか、どのようなタイミングでＬＥＤを点滅させるか、といった動的変化で報知することができる。また、このようなＬＥＤの色彩や位置、数、点滅のタイミングを適宜組み合わせて報知するものであっても良い。
【００８９】
これにより、点灯するＬＥＤ７１の色彩又は位置と、その点滅により、現在の周囲の環境は「警戒」を要するものであるが、もうすぐ周囲の環境は「厳重警戒」を要する状態になるであろうといった予告を報知することができるものとなる。ゆえに、子供や高齢者、女性、病人もしくは病み上がりの人など、健康な成人と比較して体力的に劣る者や体力が落ちている者は、従来の健康な成人向けの報知（すなわち、「警戒」）に基づいて対処するのではなく、やや緩和された予告報知（すなわち、「もうすぐ厳重警戒」）に基づいて事前に対処することができる。
【００９０】
したがって、たとえば、健康な成人は、第一環境報知情報に応じたＬＥＤの色彩の変化による報知を確認して指標値ランクの意味を理解し、子供や高齢者、女性、病人もしくは病み上がりの者などは、第一環境報知情報に応じた報知と共に、緩和された区分を示す第二環境報知情報を第一環境報知情報に加えたＬＥＤの点滅による予告報知を確認して指標値ランクの意味を理解することで、多くの使用者が周囲環境の適否を自分に合わせて適切に確認することができる。
【００９１】
また、報知部７は、制御部６から送られた報知情報による指示に応じて、ブザー７２を発鳴する報知を行う（Ｓ１３０）。
【００９２】
なお、上述した気温及び湿度の表示部８への表示と、ＬＥＤ７１による報知、及びブザー７２による報知は、説明上、時間的にある程度の間隔を置いて実行されるように誤解されるかも知れないが、これらは時間的に大差なく殆んど同時に実行されるものである。
【００９３】
そして、制御部６で特定した指標ランクに基づいて基本環境報知情報と、必要に応じて付加環境報知情報を報知すると、所定時間（たとえば、１０秒）経過後、図１０（Ａ）に示すように、表示部８に表示された気温及び湿度、及びＬＥＤ７１の点灯を消すと共に、ブザー７２が発鳴していたらこれを停止する（Ｓ１４０）。
【００９４】
以上により、本熱中症指標計での基本的な一連の動作が終了し、引き続き、制御部６は、予め設定された所定時間が経過したか否かの判断を繰り返す（Ｓ３０）に戻って、上述した一連の動作を繰り返す。
【００９５】
また、制御部６は、測定の指示に基づいて温度センサ２１及び湿度センサ２２での測定結果を受け付け、気温は０℃以上５０℃以下であるか否か判断（Ｓ５０）した結果、制御部６が、気温は０℃以上５０℃以下ではないと判断した場合（ＮＯ）、図５に示すように、制御部６は、引き続き気温は０℃未満であるか否か判断する（Ｓ５１）。
その結果、制御部６が、気温は０℃未満であると判断した場合（ＹＥＳ）、制御部６は、０℃を下回る測定範囲外の気温であり、湿度は未特定であることを示す「ＬＯ／−−」と表示する測定情報を表示部８へ送り、ＬＥＤ７１の点灯指示は行わない（Ｓ５２）。
【００９６】
一方、制御部６が、気温は０℃未満ではないと判断した場合（ＮＯ）、制御部６は、５０℃を上回る測定範囲外の気温であり、湿度は未特定であることを示す「ＨＩ／−−」と表示する測定情報を表示部８へ送り、ＬＥＤ７１の点灯指示は行わない（Ｓ５３）。
【００９７】
その後、制御部６は、所定時間経過後、何れの場合も表示部８に表示した情報を消すステップ（Ｓ１４０）へと進み、本熱中症指標計での一連の動作を終了する。その後は、上述した動作の何れかに従う。
【００９８】
また、制御部６は、測定の指示に基づいて温度センサ２１及び湿度センサ２２での測定結果を受け付け、湿度は２０％以上９０％以下であるか否か判断（Ｓ６０）した結果、制御部６が、湿度は２０％以上９０％以下ではないと判断した場合（ＮＯ）、図６に示すように、制御部６は、引き続き湿度２０％未満であるか否か判断する（Ｓ６１）。
その結果、制御部６が、湿度２０％未満であると判断した場合（ＹＥＳ）、制御部６は、温度センサ２１で測定した気温Ｔと、２０％を下回る測定範囲外の湿度であることを示す「Ｔ／ＬＯ」と表示する測定情報を表示部８へ送り、表示部８はこれを表示する（Ｓ６２）。
【００９９】
引き続き、制御部６は、指標ランクの特定のため、２０％未満であると判断した湿度を１５％と仮定し（Ｓ６３）、温度センサ２１から得た気温情報と、仮定した湿度情報とに基づいて所定の指標ランクを上述と同様に特定する（Ｓ６６）。
【０１００】
一方、制御部６が、湿度２０％未満ではないと判断した場合（ＮＯ）、制御部６は、温度センサ２１で測定した気温Ｔと、９０％を上回る測定範囲外の湿度であることを示す「Ｔ／ＨＩ」と表示する測定情報を表示部８へ送り、表示部８はこれを表示する（Ｓ６４）。
引き続き、制御部６は、指標ランクの特定のため、２０％未満ではない、すなわち、９０％を越えると判断した湿度を９５％と仮定し（Ｓ６５）、温度センサ２１から得た気温情報と、仮定した湿度情報とに基づいて所定の指標ランクを上述と同様に特定する（Ｓ６６）。
【０１０１】
そして、制御部６は、特定した指標ランクに基づき環境報知情報記憶部３を参照して基本環境報知情報を特定するステップ（Ｓ８０）へと進み、上述した本熱中症指標計での一連の動作を行うことになる。
【０１０２】
以上のように本装置（熱中症指標計）では、気温と湿度を測定することで指標ランクを特定し、この指標ランクに基づいて判断される周囲の環境状況を、ＬＥＤランプの発光やブザーの発鳴といった基本環境報知情報で指標ランクごとに知らせるだけでなく、周囲の環境の危険度がもうじき上昇しそうな状況である場合に、ＬＥＤランプ点滅といった付加環境報知情報で予告するようにしたものである。
したがって、屋内外の職場や運動、日常生活等での熱中症予防に有効に利用することができる。
【０１０３】
上記実施の形態では、付加環境報知情報を報知する第一の態様として、基本環境報知情報に基づいて点灯するＬＥＤを点滅させる場合を説明したが、本発明においては、この態様に限定されることなく様々な態様とすることができる。以下、付加環境報知情報を報知する様々な態様について説明する。
【０１０４】
まず、第二の態様として、基本環境報知情報に基づいて点灯するＬＥＤとは異なる他のＬＥＤを点滅させることで付加環境報知情報を報知するものとしても良い。このような付加環境報知情報の報知は、図９と同様に、たとえば、図１１に示す環境報知情報特定表を用いて行うことができる。
【０１０５】
図１１においては、図８に示す指標ランクの範囲と同じ範囲を、それぞれ所定範囲として設定し、たとえば、指標ランクが「Ｂ」の場合、黄緑色のＬＥＤを点灯するといった基本環境報知情報に加えて、このＬＥＤとは異なる黄色のＬＥＤを点滅するといった付加環境報知情報に応じた報知を行うものとして示されている。また、指標ランクが「Ｃ」の場合、黄色のＬＥＤを点灯するといった基本環境報知情報に加えて、このＬＥＤとは異なる橙色のＬＥＤを点滅するといった付加環境報知情報に応じた報知を行うものとして示されている。さらに、指標ランクが「Ｄ」の場合、橙色のＬＥＤを点灯するといった基本環境報知情報に加えて、このＬＥＤとは異なる赤色のＬＥＤを点滅するといった付加環境報知情報に応じた報知を行うものとして示されている。
【０１０６】
したがって、たとえば、気温と湿度が「２５，８０」であれば、図７に示す指標ランク情報の一覧表に基づいて特定された指示値ランク「Ｂ」に基づき、図１１に示す環境報知情報の一覧表に基づいて特定された基本環境報知情報に応じてＬＥＤが「黄緑色」に点灯し、さらに、図７（詳しくは、図８）に示す所定範囲情報の一覧表に基づいて特定された所定範囲情報に基づき、図１１に示す付加環境報知情報の一覧表に基づいて特定された付加環境報知情報に応じて、黄緑色に点灯するＬＥＤとは異なる黄色のＬＥＤを点滅させるものとなる。
【０１０７】
また、たとえば、気温と湿度が「３０，６０」であれば、図７に示す指標ランク情報の一覧表に基づいて特定された指示値ランク「Ｃ」に基づき、図１１に示す環境報知情報の一覧表に基づいて特定された基本環境報知情報に応じてＬＥＤが「黄色」に点灯し、さらに、図７（詳しくは、図８）に示す所定範囲情報の一覧表に基づいて特定された所定範囲情報に基づき、図１１に示す付加環境報知情報の一覧表に基づいて特定された付加環境報知情報に応じて、黄色に点灯するＬＥＤとは異なる橙色のＬＥＤを点滅させるものとなる。
【０１０８】
さらに、たとえば、気温と湿度が「３０，９０」であれば、図７に示す指標ランク情報の一覧表に基づいて特定された指示値ランク「Ｄ」に基づき、図１１に示す環境報知情報の一覧表に基づいて特定された基本環境報知情報に応じてＬＥＤが「橙色」に点灯し、さらに、図７（詳しくは、図８）に示す所定範囲情報の一覧表に基づいて特定された所定範囲情報に基づき、図１１に示す付加環境報知情報の一覧表に基づいて特定された付加環境報知情報に応じて、橙色に点灯するＬＥＤとは異なる赤色のＬＥＤを点滅させるものとなる。
【０１０９】
このような第二の態様による付加環境報知情報の報知動作は、たとえば、図１２に示すことができる。
図１２において、表示部８には、気温が「３２．３℃」、湿度が「７８％」と表示されている。また、基本環境報知情報に応じて、３番目の黄色のＬＥＤ７１ｃが点灯する（図１２（Ａ）を参照）ことと、付加環境報知情報に応じて、３番目の黄色のＬＥＤ７１ｃと共に、隣に配された４番目の橙色のＬＥＤ７１ｄが点灯する（図１２（Ｂ）を参照）ことが交互に繰り返されることで、４番目の橙色のＬＥＤ７１ｄが点滅するものとして示されている。
【０１１０】
また、第三の態様として、基本環境報知情報に基づいて点灯するＬＥＤと、このＬＥＤとは異なる他のＬＥＤをともに点滅させることで付加環境報知情報を報知するものとしても良い。このような付加環境報知情報の報知は、図９と同様に、たとえば、図１３に示す環境報知情報特定表を用いて行うことができる。
【０１１１】
図１３においても、図８に示す指標ランクの範囲と同じ範囲を、それぞれ所定範囲として設定し、たとえば、指標ランクが「Ｂ」の場合、黄緑色のＬＥＤを点灯するといった基本環境報知情報に加えて、点灯する黄緑色のＬＥＤを点滅し、かつ、このＬＥＤとは異なる黄色のＬＥＤを点滅するといった付加環境報知情報に応じた報知を行うものとして示されている。また、指標ランクが「Ｃ」の場合、黄色のＬＥＤを点灯するといった基本環境報知情報に加えて、点灯する黄色のＬＥＤを点滅し、かつ、このＬＥＤとは異なる橙色のＬＥＤを点滅するといった付加環境報知情報に応じた報知を行うものとして示されている。さらに、指標ランクが「Ｄ」の場合、橙色のＬＥＤを点灯するといった基本環境報知情報に加えて、点灯する橙色のＬＥＤを点滅し、かつ、このＬＥＤとは異なる赤色のＬＥＤを点滅するといった付加環境報知情報に応じた報知を行うものとして示されている。
【０１１２】
したがって、たとえば、気温と湿度が「２５，８０」であれば、図７に示す指標ランク情報の一覧表に基づいて特定された指示値ランク「Ｂ」に基づき、図１３に示す環境報知情報の一覧表に基づいて特定された基本環境報知情報に応じてＬＥＤが「黄緑色」に点灯し、さらに、図７（詳しくは、図８）に示す所定範囲情報の一覧表に基づいて特定された所定範囲情報に基づき、図１３に示す付加環境報知情報の一覧表に基づいて特定された付加環境報知情報に応じて、黄緑色に点灯するＬＥＤと、このＬＥＤとは異なる黄色のＬＥＤを共に点滅させるものとなる。
【０１１３】
また、たとえば、気温と湿度が「３０，６０」であれば、図７に示す指標ランク情報の一覧表に基づいて特定された指示値ランク「Ｃ」に基づき、図１３に示す環境報知情報の一覧表に基づいて特定された基本環境報知情報に応じてＬＥＤが「黄色」に点灯し、さらに、図７（詳しくは、図８）に示す所定範囲情報の一覧表に基づいて特定された所定範囲情報に基づき、図１３に示す付加環境報知情報の一覧表に基づいて特定された付加環境報知情報に応じて、黄色に点灯するＬＥＤと、このＬＥＤとは異なる橙色のＬＥＤを共に点滅させるものとなる。
【０１１４】
さらに、たとえば、気温と湿度が「３０，９０」であれば、図７に示す指標ランク情報の一覧表に基づいて特定された指示値ランク「Ｄ」に基づき、図１３に示す環境報知情報の一覧表に基づいて特定された基本環境報知情報に応じてＬＥＤが「橙色」に点灯し、さらに、図７（詳しくは、図８）に示す所定範囲情報の一覧表に基づいて特定された所定範囲情報に基づき、図１３に示す付加環境報知情報の一覧表に基づいて特定された付加環境報知情報に応じて、橙色に点灯するＬＥＤと、このＬＥＤとは異なる赤色のＬＥＤを共に点滅させるものとなる。
【０１１５】
このような第三の態様による付加環境報知情報の報知動作は、たとえば、図１４及び図１５に示すことができる。図１４に示す付加環境報知情報による報知動作は、共に点滅するＬＥＤの点滅を同時に行うものであり、図１５に示す付加環境報知情報による報知動作は、共に点滅するＬＥＤの点滅を交互に行うものである。
【０１１６】
図１４において、表示部８には、気温が「３２．３℃」、湿度が「７８％」と表示されている。また、基本環境報知情報に応じて、３番目の黄色のＬＥＤ７１ｃが点灯し、かつ、付加環境報知情報に応じて、隣に配された４番目の橙色のＬＥＤ７１ｄが同時に点灯する（図１４（Ａ）を参照）ことと、付加環境報知情報に応じて、３番目の黄色のＬＥＤ７１ｃと、４番目の橙色のＬＥＤ７１ｄが共に消灯する（図１４（Ｂ）を参照）ことが交互に繰り返されることで、３番目の黄色のＬＥＤ７１ｃ（黄色）と、４番目の橙色のＬＥＤ７１ｄ（橙色）が同時に点滅するものとして示されている。
【０１１７】
一方、図１５において、表示部８には、気温が「３２．３℃」、湿度が「７８％」と表示されている。また、基本環境報知情報に応じて、３番目の黄色のＬＥＤ７１ｃが点灯する（図１５（Ａ）を参照）ことと、付加環境報知情報に応じて、３番目の黄色のＬＥＤ７１ｃが一時的に消灯し、かつ、隣に配された４番目の橙色のＬＥＤ７１ｄが一時的に点灯する（図１５（Ｂ）を参照）ことが交互に繰り返されることで、３番目の黄色のＬＥＤ７１ｃと、４番目の橙色のＬＥＤ７１ｄが交互に点滅するものとして示されている。
【０１１８】
また、第四の態様として、何個のＬＥＤが点灯するかといったＬＥＤの点灯数で基本環境報知情報を報知し、この基本環境報知情報に基づいて点灯するＬＥＤを点滅させることで付加環境報知情報を報知するものとしても良い。基本環境報知情報の特定は、指標ランクと、これに応じた基本環境報知情報、及び指標ランク内において設定された所定範囲と、これに応じた付加環境報知情報とを関連付けたデータベースに基づいて行うことができる。このデータベースは、説明の便宜上、図１６において環境報知情報特定表として示すことができる。図１６は、ＬＥＤ７１の点灯数を変化させる場合の基本環境報知情報の報知方法が示された一覧表となっている。
【０１１９】
図１６においては、図９と同様に、報知手段を発光器（ＬＥＤ）及び警報器（ブザー）とし、基本環境報知情報として、指標値ランクに応じて点灯するＬＥＤの数が変化すると共に、ブザーの発鳴有無及び発鳴の仕方を規定したものとして示されている。たとえば、指標値ランクが「Ａ」であれば、ＬＥＤが１つ点灯し、ブザーは発鳴しない、指標値ランクが「Ｂ」であれば、ＬＥＤが２つ点灯し、ブザーは発鳴しない、指標値ランクが「Ｃ」であれば、ＬＥＤが３つ点灯し、ブザーは発鳴しない、指標値ランクが「Ｄ」であれば、ＬＥＤが４つ点灯すると共に、ブザーは短く５回発鳴する、そして、指標値ランクが「Ｅ」であれば、ＬＥＤが５つ点灯すると共に、ブザーは１０秒間連続して発鳴する、といった指示を行うことが示されている。
【０１２０】
また、図１６において付加環境報知情報は、たとえば、指標値ランクがＢであって、所定範囲内あれば、２つのＬＥＤが点灯するといった基本環境報知情報に加えて、点灯する２つのＬＥＤがともに点滅するといった付加環境報知情報に応じた報知を行うものとして示されている。また、付加環境報知情報は、指標値ランクがＣであって、所定範囲内あれば、３つのＬＥＤが点灯するといった基本環境報知情報に加えて、点灯する３つのＬＥＤがともに点滅するといった付加環境報知情報に応じた報知を行うものとして示されている。さらに、付加環境報知情報は、指標値ランクがＤであって、所定範囲内あれば、４つのＬＥＤが点灯するといった基本環境報知情報に加えて、点灯する４つのＬＥＤがともに点滅するといった付加環境報知情報に応じた報知を行うものとして示されている。
【０１２１】
このような第四の態様による付加環境報知情報の報知動作は、たとえば、図１７に示すことができる。
図１７において、表示部８には、気温が「３２．３℃」、湿度が「７８％」と表示されている。また、基本環境報知情報に応じて、１番目の緑色のＬＥＤ７１ａと、２番目の黄緑色のＬＥＤ７１ｂと、３番目の黄色のＬＥＤ７１ｃがともに点灯する（図１７（Ａ）を参照）ことと、付加環境報知情報に応じて、点灯しているすべてのＬＥＤ７１ａ，７１ｂ，７１ｃが一時的に消灯する（図１７（Ｂ）を参照）ことが交互に繰り返されることで、３つのＬＥＤ７１ａ，７１ｂ，７１ｃが同時に点滅するものとして示されている。
【０１２２】
また、第五の態様として、何個のＬＥＤが点灯するかといったＬＥＤの点灯数で基本環境報知情報を報知し、さらに、これらのＬＥＤとは異なる他のＬＥＤを点滅させることで付加環境報知情報を報知するものとしても良い。このような付加環境報知情報の報知は、図１６と同様に、たとえば、図１８に示す環境報知情報特定表を用いて行うことができる。
【０１２３】
図１８においては、図８に示す指標ランクの範囲と同じ範囲を、それぞれ所定範囲として設定し、たとえば、指標ランクが「Ｂ」の場合、２つのＬＥＤが点灯するといった基本環境報知情報に加えて、３つ目のＬＥＤが点滅するといった付加環境報知情報に応じた報知を行うものとして示されている。また、指標ランクが「Ｃ」の場合、３つのＬＥＤが点灯するといった基本環境報知情報に加えて、４つ目のＬＥＤが点滅するといった付加環境報知情報に応じた報知を行うものとして示されている。さらに、指標ランクが「Ｄ」の場合、４つのＬＥＤが点灯するといった基本環境報知情報に加えて、５つ目のＬＥＤが点滅するといった付加環境報知情報に応じた報知を行うものとして示されている。
【０１２４】
したがって、たとえば、気温と湿度が「２５，８０」であれば、図７に示す指標ランク情報の一覧表に基づいて特定された指示値ランク「Ｂ」に基づき、図１８に示す環境報知情報の一覧表に基づいて特定された基本環境報知情報に応じて、たとえば、１つ目のＬＥＤと２つ目のＬＥＤの２つを点灯し、さらに、図７（詳しくは、図８）に示す所定範囲情報の一覧表に基づいて特定された所定範囲情報に基づき、図１８に示す付加環境報知情報の一覧表に基づいて特定された付加環境報知情報に応じて、３つ目のＬＥＤを点滅させるものとなる。
【０１２５】
また、たとえば、気温と湿度が「３０，６０」であれば、図７に示す指標ランク情報の一覧表に基づいて特定された指示値ランク「Ｃ」に基づき、図１８に示す環境報知情報の一覧表に基づいて特定された基本環境報知情報に応じて、たとえば、１つ目のＬＥＤから３つ目のＬＥＤまでの３つを点灯し、さらに、図７（詳しくは、図８）に示す所定範囲情報の一覧表に基づいて特定された所定範囲情報に基づき、図１８に示す付加環境報知情報の一覧表に基づいて特定された付加環境報知情報に応じて、４つ目のＬＥＤを点滅させるものとなる。
【０１２６】
さらに、たとえば、気温と湿度が「３０，９０」であれば、図７に示す指標ランク情報の一覧表に基づいて特定された指示値ランク「Ｄ」に基づき、図１８に示す環境報知情報の一覧表に基づいて特定された基本環境報知情報に応じて、たとえば、１つ目のＬＥＤから４つ目のＬＥＤまでの４つを点灯し、さらに、図７（詳しくは、図８）に示す所定範囲情報の一覧表に基づいて特定された所定範囲情報に基づき、図１８に示す付加環境報知情報の一覧表に基づいて特定された付加環境報知情報に応じて、５つ目のＬＥＤを点滅させるものとなる。
【０１２７】
このような第五の態様による付加環境報知情報の報知動作は、たとえば、図１９に示すことができる。
図１９において、表示部８には、気温が「３２．３℃」、湿度が「７８％」と表示されている。また、基本環境報知情報に応じて、１番目の緑色のＬＥＤ７１ａと、２番目の黄緑色のＬＥＤ７１ｂと、３番目の黄色のＬＥＤ７１ｃがともに点灯する（図１９（Ａ）を参照）ことと、付加環境報知情報に応じて、１番目から３番目までの３つのＬＥＤ７１ａ，７１ｂ，７１ｃと共に、隣に配された４番目の橙色のＬＥＤ７１ｄが点灯する（図１９（Ｂ）を参照）ことが交互に繰り返されることで、４番目の橙色のＬＥＤ７１ｄが点滅するものとして示されている。
【０１２８】
これにより、点灯するＬＥＤ７１の色彩又は数と、その点滅により、現在の周囲の環境は「警戒」を要するものであるが、もうすぐ周囲の環境は「厳重警戒」を要する状態になるであろうといった予告を報知することができるものとなる。
【０１２９】
なお、上述の実施の形態では、使用者が身に付けることが可能な携帯型の万人用環境情報報知装置として説明したが、たとえば、図２０に示すように、設置型の万人用環境情報報知装置５１としても良い。
本装置５１は、検知部２と、記憶部３と、制御部６と、報知部７とを少なくとも備え、これらを保持する筐体５０をさらに備える。
【０１３０】
本装置５１において検知部２は、温度検知部２１及び湿度検知部２２といった２つのセンサによって構成されている。
また、本装置５１において記憶部３は、指標ランク情報記憶部３１及び環境報知情報記憶部３２によって構成されている。
【０１３１】
制御部６は、たとえば、電源スイッチ５４がＯＮされることによって周囲の環境情報の測定の指示を受付けたとき、計時部９２で計測された経過時間に基づいて一定時間ごとに温度検知部２１及び湿度検知部２２での測定の実行を継続的に繰り返し指示する処理を行う機能を備える。
【０１３２】
報知部７は、たとえば、点灯する色彩が変化する発光器とすることができる。図２０において、本装置５１の発光器は、５つのＬＥＤ７１ａ，７１ｂ，７１ｃ，７１ｄ，７１ｅが備えられたものとして示されている。この発光器は、たとえば、図中一番左に配された１番目のＬＥＤ７１ａはほぼ安全を示す緑色、２番目のＬＥＤ７１ｂが注意を示す黄緑色、図中真ん中に配された３番目のＬＥＤ７１ｃが警戒を示す黄色、４番目のＬＥＤ７１ｄが厳重警戒を示す橙色、図中一番右に配された５番目のＬＥＤ７１ｅが危険を示す赤色、といった位置ごとに異なる色彩を呈するものとし示されている。
図２０において、３番目の黄色のＬＥＤ７１ｃが点灯するものとして示されている。これにより、現在の周囲の環境は、「警戒」を要するものであることがわかる。
【０１３３】
また、筐体５０は、正面中央に表示部（ディスプレイ）５８を備える。この表示部５８は、筐体５０の正面中央のやや左側に配された、温度検知部２１で測定した気温を表示する大きな表示部５８Ａと、同正面中央のやや右側に配された、測定した湿度を表示する大きな表示部５８Ｂとから構成されている。
【０１３４】
したがって、この設置型の万人用環境情報報知装置５１を、多くの人が集まるホールや待合室、教室、会議室、事務所もしくは作業場等に設置しておくことで、健康な成人は勿論のこと、子供や高齢者、女性、病人もしくは病み上がりの者など、多くの使用者が自分に合わせて周囲環境の適否を適切に確認することができるようになる。
【０１３５】
以上のように本実施の形態では、検知部２が、温度検知部２１及び湿度検知部２２により構成されることで、熱中症になり易い環境であるか否かを報知する装置として、熱中症指標計とすることができる場合を説明したが、本発明はこれに限定されない。
したがって、指標ランクを特定する区分や、これに応じた環境報知情報の内容を適宜変更することで、季節性インフルエンザになり易い環境であるか否かを報知する装置（風邪指標計）や、肌に悪影響を起こし易い環境であるか否かを報知する装置（素肌乾燥指標計）とすることもできる。以下、それぞれの装置とした場合について説明する。
【０１３６】
＜風邪指標計＞
季節性インフルエンザウイルスは、気温２０℃、湿度５０％以上において生存し難く、逆に気温１０℃、湿度２０％では長期に生存することが知られている。ゆえに、気温及び湿度から季節性流行性感冒への感染し易さを指標化すれば、万人用環境情報報知装置として風邪指標計とすることができる。
【０１３７】
この場合の指標ランクの特定は、上述した熱中症指標計と同様に、たとえば、測定した気温及び湿度の環境情報と、これにより特定される季節性流行性感冒（風邪）の指標を示す指標ランクとを関連付けたデータテーブルに基づいて行うことができる。このデータテーブルは、説明の便宜上、たとえば、図２１に示す指標ランク特定表として示すことができる。
【０１３８】
図２１に示す指標ランク特定表は、横軸に気温が示され、縦軸に湿度が示され、これら気温と湿度の交点において指標値ランクが示された一覧表となっている。
図２１において、気温は、説明の関係上０℃から２４℃までの範囲において、６℃間隔ずつ０℃、６℃、１２℃、１８℃、２４℃として設定されている。この気温の設定間隔は任意であり、温度センサ２１で検知可能な気温情報の範囲において、１℃間隔であっても良いし、０．１℃や０．５℃、２℃といった任意の間隔で設定したものとしても良い。
湿度は、０％から１００％の範囲において、１０％間隔ずつ０％、１０％、２０％・・・８０％、９０％、１００％として設定されている。この湿度の設定間隔も任意であり、湿度センサ２２で検知可能な湿度情報の範囲において、１％間隔であっても良いし、２％や５％といった任意の間隔で設定したものとしても良い。
【０１３９】
また、指標ランクは、「ほぼ安全」を意味する「Ａ」、「油断大敵」を意味する「Ｂ」、「注意」を意味する「Ｃ」、「警戒」を意味する「Ｄ」、「厳重警戒」を意味する「Ｅ」、として規定されることが示されている。具体的には、たとえば、気温が２４℃、湿度が６０％の場合（以下、説明の便宜上、気温と湿度の順番で座標のように「２４，６０」として記す。）、指標ランクは「Ａ」となっている。同様に、「１８，５０」の場合、指標ランクは「Ｂ」であり、「１２，４０」の場合、指標ランクは「Ｃ」であり、「６，３０」の場合、指標ランクは「Ｄ」であり、「０，２０」の場合、指標ランクは「Ｅ」となっている。
【０１４０】
この指標値ランクは、たとえば、従来から知られているＷＢＧＴと同様に、所定の式によって算出した指標を基に区分しても良いし、気温と湿度の経験値から区分するようにしても良い。
【０１４１】
また、基本環境報知情報の特定は、指標ランクと、これに応じた基本環境報知情報、及び指標ランク内において設定された所定範囲と、これに応じた付加環境報知情報とを関連付けたデータベースに基づいて行うことができる。このデータベースとしては、説明の便宜上、たとえば、図２２において環境報知情報特定表として示すことができる。図２２は、ＬＥＤ７１の色彩を変化させる場合の基本環境報知情報の報知方法を示した一覧表である。
【０１４２】
図２２においては、報知手段を発光器（ＬＥＤ）及び警報器（ブザー）とし、基本環境報知情報として、指標値ランクに応じて点灯するＬＥＤの色彩が変化すると共に、ブザーの発鳴有無及び発鳴の仕方を規定したものとして示されている。たとえば、指標値ランクが「Ａ」であれば、ＬＥＤが「緑色」に点灯し、ブザーは発鳴しない、指標値ランクが「Ｂ」であれば、ＬＥＤが「黄緑色」に点灯し、ブザーは発鳴しない、指標値ランクが「Ｃ」であれば、ＬＥＤが「黄色」に点灯し、ブザーは発鳴しない、指標値ランクが「Ｄ」であれば、ＬＥＤが「橙色」に点灯すると共に、ブザーは短く５回発鳴する、そして、指標値ランクが「Ｅ」であれば、ＬＥＤが「赤色」に点灯すると共に、ブザーは１０秒間連続して発鳴する、といった指示を行うことが示されている。
【０１４３】
また、指標ランクが所定範囲内であるか否か判断の特定方法としては、図８に示す一覧表と同様に、たとえば、同一の指標ランク内において、気温又は湿度の少なくとも何れか一方の測定数値が所定数値上昇したとすると、指標ランクの危険度が上がることとなる領域を所定範囲として設定した指標ランク特定表に基づいて行うことができる。
【０１４４】
図２２においては、付加環境報知情報は、指標ランクがＢであって、所定範囲内あれば、たとえば、黄緑色のＬＥＤが点灯するといった基本環境報知情報に加えて、点灯する黄緑色のＬＥＤが点滅するといった付加環境報知情報に応じた報知を行うものとして示されている。また、付加環境報知情報は、指標ランクがＣであって、所定範囲内あれば、たとえば、黄色のＬＥＤが点灯するといった基本環境報知情報に加えて、点灯する黄色のＬＥＤが点滅するといった付加環境報知情報に応じた報知を行うものとして示されている。さらに、付加環境報知情報は、指標ランクがＤであって、所定範囲内あれば、たとえば、橙色のＬＥＤが点灯するといった基本環境報知情報に加えて、点灯する橙色のＬＥＤが点滅するといった付加環境報知情報に応じた報知を行うものとして示されている。
【０１４５】
以上のように本装置（風邪指標計）では、気温と湿度を測定することで、風邪指標ランクを特定し、この風邪指標ランクに基づいて判断される周囲の環境状況を、ＬＥＤランプの発光やブザーの発鳴といった基本環境報知情報でランクごとに知らせるだけでなく、周囲の環境の危険度がもうじき上昇しそうな状況である場合に、ＬＥＤランプ点滅といった付加環境報知情報で予告するようにしたものである。したがって、日常生活等での風邪予防に有効に利用することができる。
なお、基本環境報知情報や付加環境報知情報による報知動作は、上述した熱中症指標計の場合と同様である。
【０１４６】
＜素肌乾燥指標計＞
また、素肌は、気温や湿度が低い状態では発汗が少なく、乾燥した空気に晒されると水分の蒸散が急速に増加するため、肌は乾燥状態を引き起こしてかさついたものとなってしまう。ゆえに、気温及び湿度から素肌の乾燥し易さを指標化すれば、万人用環境情報報知装置として素肌乾燥指標計とすることができる。
【０１４７】
この場合の指標ランクの特定は、上述した熱中症指標計と同様に、たとえば、測定した気温及び湿度の環境情報と、これにより特定される素肌乾燥の指標を示す指標ランクとを関連付けたデータテーブルに基づいて行うことができる。このデータテーブルは、説明の便宜上、たとえば、図２３に示す指標ランク特定表として示すことができる。
【０１４８】
図２３に示す指標ランク特定表は、横軸に気温が示され、縦軸に湿度が示され、これら気温と湿度の交点において指標値ランクが示された一覧表となっている。
図２３において、気温は、説明の関係上５℃から２５℃までの範囲において、５℃間隔ずつ５℃、１０℃、１５℃、２０℃、２５℃として設定されている。この気温の設定間隔は任意であり、温度センサ２１で検知可能な気温情報の範囲において、１℃間隔であっても良いし、０．１℃や０．５℃、２℃といった任意の間隔で設定したものとしても良い。
湿度は、０％から１００％の範囲において、１０％間隔ずつ０％、１０％、２０％・・・８０％、９０％、１００％として設定されている。この湿度の設定間隔も任意であり、湿度センサ２２で検知可能な湿度情報の範囲において、１％間隔であっても良いし、２％や５％といった任意の間隔で設定したものとしても良い。
【０１４９】
また、指標値ランクは、べたべたを意味する「Ａ」、快適を意味する「Ｂ」、注意を意味する「Ｃ」、警戒を意味する「Ｄ」、危険を意味する「Ｅ」、として規定されることが示されている。具体的には、たとえば、気温が２５℃、湿度が９０％の場合（以下、説明の便宜上、気温と湿度の順番で座標のように「２５，９０」として記す。）、指標ランクは「Ａ」となっている。同様に、「２０，８０」の場合、指標ランクは「Ｂ」であり、「１５，６０」の場合、指標ランクは「Ｃ」であり、「１０，５０」の場合、指標ランクは「Ｄ」であり、「５，３０」の場合、指標ランクは「Ｅ」となっている。
【０１５０】
この指標値ランクもまた、たとえば、従来から知られているＷＢＧＴと同様に、所定の式によって算出した指標を基に区分しても良いし、気温と湿度の経験値から区分するようにしても良い。
【０１５１】
また、基本環境報知情報の特定、指標ランクと、これに応じた基本環境報知情報、及び指標ランク内において設定された所定範囲と、これに応じた付加環境報知情報とを関連付けたデータテーブルに基づいて行うことができる。このデータテーブルは、説明の便宜上、たとえば、図２４に示す環境報知情報特定表として示すことができる。図２３は、ＬＥＤ７１の色彩を変化させる場合の基本環境報知情報の報知方法を示した一覧表である。
【０１５２】
図２４においては、報知手段を発光器（ＬＥＤ）及び警報器（ブザー）とし、基本環境報知情報として、指標値ランクに応じて点灯するＬＥＤの色彩が変化すると共に、ブザーの発鳴有無及び発鳴の仕方を規定したものとして示されている。たとえば、指標値ランクが「Ａ」であれば、ＬＥＤが「緑色」に点灯し、ブザーは発鳴しない、指標値ランクが「Ｂ」であれば、ＬＥＤが「黄緑色」に点灯し、ブザーは発鳴しない、指標値ランクが「Ｃ」であれば、ＬＥＤが「黄色」に点灯し、ブザーは発鳴しない、指標値ランクが「Ｄ」であれば、ＬＥＤが「橙色」に点灯すると共に、ブザーは短く５回発鳴する、そして、指標値ランクが「Ｅ」であれば、ＬＥＤが「赤色」に点灯すると共に、ブザーは１０秒間連続して発鳴する、といった指示を行うことが示されている。
【０１５３】
また、指標ランクが所定範囲内であるか否か判断の特定方法としてもまた、図８に示す一覧表と同様に、たとえば、同一の指標ランク内において、気温又は湿度の少なくとも何れか一方の測定数値が所定数値上昇したとすると、指標ランクの危険度が上がることとなる領域を所定範囲として設定した指標ランク特定表に基づいて行うことができる。
【０１５４】
図２４においては、付加環境報知情報は、指標ランクがＢであって、所定範囲」内あれば、たとえば、黄緑色のＬＥＤが点灯するといった基本環境報知情報に加えて、点灯する黄緑色のＬＥＤが点滅するといった付加環境報知情報に応じた報知を行うものとして示されている。また、付加環境報知情報は、指標ランクがＣであって、所定範囲内あれば、たとえば、黄色のＬＥＤが点灯するといった基本環境報知情報に加えて、点灯する黄色のＬＥＤが点滅するといった付加環境報知情報に応じた報知を行うものとして示されている。さらに、付加環境報知情報は、指標値ランクがＤであって、所定範囲内あれば、たとえば、橙色のＬＥＤが点灯するといった基本環境報知情報に加えて、点灯する橙色のＬＥＤが点滅するといった付加環境報知情報に応じた報知を行うものとして示されている。
【０１５５】
以上のように本装置（素肌乾燥指標計）では、気温と湿度を測定することで、素肌乾燥指標を特定し、この素肌乾燥指標に基づいて判断される周囲の環境状況を、ＬＥＤランプの発光やブザーの発鳴といった基本環境報知情報でランクごとに知らせるだけでなく、周囲の環境の危険度がもうじきランクアップしそうな状況である場合に、ＬＥＤランプ点滅といった付加環境報知情報で予告するようにしたものである。したがって、日常生活等での素肌乾燥予防に有効に利用することができる。
なお、基本環境報知情報や付加環境報知情報による報知動作は、上述した熱中症指標計の場合と同様である。
【０１５６】
また、本発明では、上述した熱中症指標計や風邪予防計、素肌乾燥予防計のように具体的に例示しないが、上述した各装置と同様に、温度検知部と湿度検知部により構成される検知部とし、この検知部で測定された周囲の環境情報（気温と湿度）に基づいて特定する指標ランクや、これに応じる環境報知情報の設定を適宜変更することで、洗濯物が乾き易い環境であるか否かを報知する装置（洗濯指数計）や、咽喉に好ましくない乾燥した環境であるか否か、もしくは火災が発生し易い乾燥した環境であるか否かを報知する装置（乾燥指数計）、雨が降る可能性のある環境であるか否かを報知する装置（雨指数計）、といった種々の装置とすることもできる。
【０１５７】
＜熱中症指標計＆風邪指標計＞
さらに、本発明では、上述した熱中症になり易い危険度、季節性流行性感冒に感染し易い危険度、肌に悪影響を及ぼし易い危険度といった指標のうち、所望により何れかの指標を選択して特定することが可能であり、その指標に基づく報知を行うことができる多機能装置としても良い。
【０１５８】
以下、図２５乃至図２７を参照しながら、上述した携帯型の万人用環境情報報知装置とは異なる部分を中心に簡単に説明する。
本実施の形態では、多機能装置の一例として、熱中症になり易い危険度の指標と、季節性流行性感冒に感染し易い危険度の指標をそれぞれ特定することが可能な、設置型の万人用環境情報報知装置について説明する。
したがって、本実施の形態では、上述した実施の形態と同様の構成部分は同じ符号を付してその説明は省略し、特に説明しない限り同じであるものとする。
【０１５９】
図２５乃至図２７に示すように、本実施の形態に係る多機能の万人用環境情報報知装置（以下、単に「多機能装置」という。）１０１は、検知部２と、記憶部３と、制御部６と、報知部７とを少なくとも備え、これらを保持する筐体１１０をさらに備える。また、本多機能装置１０１は、上述した装置１の構成に加えて、機能切換スイッチ５をさらに備える。
したがって、多機能装置１０１は、記憶部３において、熱中症になり易い危険度の指標を特定することが可能な指標ランク情報及び環境報知情報と、季節性流行性感冒に感染し易い危険度の指標を特定することが可能な指標ランク情報及び環境報知情報とを備え、機能切換スイッチ５の操作によって選択的に機能するものとなっている。
【０１６０】
制御部６は、複数の指標を特定する機能を備えており、温度検知部２１で測定された気温情報と湿度検知部２２で測定された湿度情報とに基づいて選択された指標のランクを特定する処理をさらに行う。複数の指標とは、同じ環境情報に基づいて特定可能なものをいい、本多機能装置１０１においては、環境情報として気温と湿度に基づいて特定することが可能な、熱中症になり易い危険度を示す指標と、季節性流行性感冒に感染し易い危険度を示す指標をいう。
【０１６１】
機能切換スイッチ５は、制御部６によって特定する指標ランクの選択を行う指示を受付けるものである。この機能切換スイッチ５は、たとえば、スライドスイッチや、押圧ボタンスイッチとすることができる。
図２５においては、右側へ移動させることで、熱中症指標についての指標ランクを特定し、左側へ移動させることで、風邪指標についての指標ランクを特定する選択を行うことが可能なスライドスイッチが機能切換スイッチ５として示され、この機能切換スイッチ５は、熱中症指標についての指標ランクを特定する選択がされている状態を示している。
【０１６２】
したがって、制御部６は、温度センサ２１から得た気温情報と、湿度センサ２２から得た湿度情報から、機能切換スイッチ５により指示（選択）された指標のランクを特定することで、所望の指標の危険度を報知することができる。
【０１６３】
制御部６は、たとえば、ＣＰＵ６１やメモリ、ＲＯＭ(Read Only Memory）６５、ＲＡＭ（Random Access Memory）６３、各種回路等を具備するＩＣとすることができる。制御部６に具備されたＲＯＭ６５は、指標ランク情報記憶部３１及び環境報知情報記憶部３２として機能するもの（すなわち、プログラム上に指標ランク情報と第一環境報知情報及び第二環境報知情報が設定されたもの）としても良い。
【０１６４】
また、本多機能装置１０１は、筐体１１０の底部に、平坦な載置部１１１を備える。
この載置部１１１により、倒れたり、転がったりすることなく、机やテーブル等の上に安定して載置することができる。このような設置型の多機能装置１０１は、健康な成人に限らず、子供や高齢者、女性、病人もしくは病み上がりの者など複数の者が共同で使用する場合に有意である。
【０１６５】
図２５及び図２６においては、筐体１０の正面中央部に表示部１０８が大きく設けられ、その下方に、右側へ移動させることで、熱中症指標計についての指標を特定し、左側へ移動させることで、風邪指標計についての指標を特定する選択を行うことが可能なスライドスイッチが機能切換スイッチ５として設けられていることが示されている。
【０１６６】
また、表示部１０８の右側には、熱中症指標計用の報知部として、５つの発光ダイオード（ＬＥＤ）７１Ｒａ，７１Ｒｂ，７１Ｒｃ，７１Ｒｄ，７１Ｒｅが縦型弧状に配されている。図中一番下に配された１番目のＬＥＤ７１Ｒａは、ほぼ安全を示す緑色、２番目のＬＥＤ７１Ｒｂは注意を示す黄緑色、真ん中に配された３番目のＬＥＤ７１Ｒｃは警戒を示す黄色、４番目のＬＥＤ７１Ｒｄは厳重警戒を示す橙色、図中一番上に配された５番目のＬＥＤ７１Ｒｅは危険を示す赤色、といった位置ごとに異なる色彩を呈するものとして示されている。
【０１６７】
一方、表示部１０８の左側には、風邪指標計用の報知部として、５つの発光ダイオード（ＬＥＤ）７１Ｌａ，７１Ｌｂ，７１Ｌｃ，７１Ｌｄ，７１Ｌｅが縦型弧状に配されている。図中一番下に配された１番目のＬＥＤ７１Ｌａはほぼ安全を示す緑色、２番目のＬＥＤ７１Ｌｂは油断大敵を示す黄緑色、真ん中に配された３番目のＬＥＤ７１Ｌｃは注意を示す黄色、４番目のＬＥＤ７１Ｌｄは警戒を示す橙色、図中一番上に配された５番目のＬＥＤ７１Ｌｅは厳重警戒を示す赤色、といった位置ごとに異なる色彩を呈するものとして示されている。
【０１６８】
図２５において、機能切換スイッチ５は、右側に移動され、熱中症指標計についての指標ランクを特定する選択がされている状態を示している。
また、表示部１０８には、気温が「３２．３℃」、湿度が「７８％」と表示されていることが示されている。
さらに、熱中症指標計用の報知部において、下から４番目に配された厳重警戒を意味する橙色のＬＥＤ７１Ｒｄが点灯するものとして示されている。
【０１６９】
また、図２６において、機能切換スイッチ５は、左側に移動され、風邪指標計についての指標ランクを特定する選択がされている状態を示している。
また、表示部１０８には、気温が「２２．３℃」、湿度が「４８％」と表示されていることが示されている。
さらに、風邪予防計用の報知部において、下から３番目に配された注意を意味する黄色のＬＥＤ７２Ｌｃが点灯するものとして示されている。
【０１７０】
なお、図２５及び図２６に示す多機能装置１０１は、机やテーブル等の上に載置して用いる設置型の万人用多機能環境情報報知装置であるが、図１及び図２に示す装置のように、筐体の上部に、保持具として環状の吊り下げ紐が取り付けられた携帯型多機能装置とすることもできる。
【０１７１】
また、本発明は、検知部が上述した構成以外のものとなることを排除するものではない。
したがって、検知部が、他の環境情報として、たとえば、紫外線の強さを測定する紫外線検知部により構成されたものであれば、紫外線検知部で測定された環境情報に基づいて所定の指標ランクを特定し、さらに、この指標ランクに基づいて、皮膚に悪影響を及ぼす日焼けし易い環境であるか否かを報知する装置（日焼け予防計）とすることができる。
【産業上の利用可能性】
【０１７２】
本発明は、周囲の環境の適否を報知する装置を扱う業種において産業上有用であり、特に、熱中症指標計や風邪指標計といった、周囲の環境が人体に影響を及ぼす虞があるか否かといった情報を事前に報知する装置の市場において有用である。
【符号の説明】
【０１７３】
１，５１，１０１  万人用環境情報報知装置、２  検知部、３  記憶部、４，５４  電源スイッチ、５  機能切換スイッチ、６  制御部、７  報知部、８，５８，１０８  表示部、１０，５０，１１０  筐体、１１  保持具、１２  開口部、２１  温度センサ（第１検知部）、２２  湿度センサ（第２検知部）、３１  指標ランク情報記憶部、３２  環境報知情報記憶部、６１  ＣＰＵ、６２，６５  ＲＯＭ、６３  ＲＡＭ、７１（７１ａ，７１ｂ，７１ｃ，７１ｄ，７１ｅ）  発光器（報知手段：ＬＥＤ）、７２  警報器（報知手段：ブザー）、９１  電源、９２  発振器（計時手段）、１１１  載置部。
【図１】
2013222257.tif 000003
【図２】
2013222257.tif 000004
【図３】
2013222257.tif 000005
【図４】
2013222257.tif 000006
【図５】
2013222257.tif 000007
【図６】
2013222257.tif 000008
【図７】
2013222257.tif 000009
【図８】
2013222257.tif 000010
【図９】
2013222257.tif 000011
【図１０】
2013222257.tif 000012
【図１１】
2013222257.tif 000013
【図１２】
2013222257.tif 000014
【図１３】
2013222257.tif 000015
【図１４】
2013222257.tif 000016
【図１５】
2013222257.tif 000017
【図１６】
2013222257.tif 000018
【図１７】
2013222257.tif 000019
【図１８】
2013222257.tif 000020
【図１９】
2013222257.tif 000021
【図２０】
2013222257.tif 000022
【図２１】
2013222257.tif 000023
【図２２】
2013222257.tif 000024
【図２３】
2013222257.tif 000025
【図２４】
2013222257.tif 000026
【図２５】
2013222257.tif 000027
【図２６】
2013222257.tif 000028
【図２７】
2013222257.tif 000029
【手続補正書】
【提出日】平成24年4月16日(2012.4.16)
【手続補正１】
【補正対象書類名】図面
【補正対象項目名】図２１
【補正方法】変更
【補正の内容】
【図２１】
2013222257.tif 000030
【手続補正書】
【提出日】平成24年4月16日(2012.4.16)
【手続補正１】
【補正対象書類名】図面
【補正対象項目名】図２６
【補正方法】変更
【補正の内容】
【図２６】
2013222257.tif 000031